(57)【特許請求の範囲】
【請求項１】
プライマリセルとセカンダリセルとで構成される複数のサービングセルにおいて基地局装置と通信する移動局装置であって、
前記プライマリセルにおける１つの物理下りリンク共用チャネルの送信を指示する１つの物理下りリンク制御チャネルを前記プライマリセルにおいて検出する手段と、
前記セカンダリセルにおける１つの物理下りリンク共用チャネルの送信を指示する１つの物理下りリンク制御チャネルを前記セカンダリセルにおいて検出する手段と、
前記プライマリセルに対して、２つまでの下りリンクトランスポートブロックの送信が可能な下りリンク送信モードが設定されている場合には、前記プライマリセルにおける前記１つの物理下りリンク共用チャネルの送信に対して、２つの物理上りリンク制御チャネルリソースを決定し、
前記セカンダリセルに対して、２つまでの下りリンクトランスポートブロックの送信が可能な下りリンク送信モードが設定されている場合には、前記セカンダリセルにおける前記１つの物理下りリンク共用チャネルの送信に対して、２つの物理上りリンク制御チャネルリソースを決定する手段と、を備え、
前記プライマリセルにおける前記１つの物理下りリンク共用チャネルの送信に対する前記２つの物理上りリンク制御チャネルリソースは、前記プライマリセルにおいて検出された前記１つの物理下りリンク制御チャネルの送信に使用される最初の制御チャネル要素の番号を用いて決定され、
前記セカンダリセルにおける前記１つの物理下りリンク共用チャネルの送信に対する前記２つの物理上りリンク制御チャネルリソースは、前記セカンダリセルにおいて検出された前記１つの物理下りリンク制御チャネルで送信される下りリンク制御情報フィールドに設定された１つの値に従って決定されることを特徴とする移動局装置。
【請求項２】
前記プライマリセルにおける前記１つの物理下りリンク共用チャネルの送信に対する前記２つの物理上りリンク制御チャネルリソースの１つは、前記プライマリセルにおいて検出された前記１つの物理下りリンク制御チャネルの送信に使用される最初の制御チャネル要素の番号に対応し、
前記プライマリセルにおける前記１つの物理下りリンク共用チャネルの送信に対する前記２つの物理上りリンク制御チャネルリソースのもう１つは、前記プライマリセルにおいて検出された前記１つの物理下りリンク制御チャネルの送信に使用される最初の制御チャネル要素の番号に１を加えたものに対応することを特徴とする請求項１に記載の移動局装置。
【請求項３】
前記プライマリセルにおける前記１つの物理下りリンク共用チャネルの送信に対する前記２つの物理上りリンク制御チャネルリソースを含む、複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信する手段と備えることを特徴とする請求項１または請求項２に記載の移動局装置。
【請求項４】
プライマリセルとセカンダリセルとで構成される複数のサービングセルにおいて基地局装置と通信する移動局装置であって、
前記セカンダリセルにおける１つの物理下りリンク共用チャネルの送信を指示する１つの物理下りリンク制御チャネルを前記セカンダリセルにおいて検出する手段と、
前記セカンダリセルに対して、２つまでの下りリンクトランスポートブロックの送信が可能な下りリンク送信モードが設定されている場合には、前記１つの物理下りリンク共用チャネルの送信に対して、２つの物理上りリンク制御チャネルリソースを決定する手段と、を備え、
前記２つの物理上りリンク制御チャネルリソースは、前記１つの物理下りリンク制御チャネルで送信される下りリンク制御情報のフィールドに設定された１つの値に従って決定されることを特徴とする移動局装置。
【請求項５】
前記２つの物理上りリンク制御チャネルリソースの１つは、複数の物理上りリンク制御チャネルリソースが設定された第１のセットの中から決定され、
前記２つの物理上りリンク制御チャネルリソースのもう１つは、複数の物理上りリンク制御チャネルリソースが設定された第２のセットの中から決定されることを特徴とする請求項４に記載の移動局装置。
【請求項６】
前記第１のセットに設定される前記複数の物理上りリンク制御チャネルリソースのそれぞれと、前記第２のセットに設定される前記複数の物理上りリンク制御チャネルリソースのそれぞれとは、前記基地局装置によって送信される上位層の信号を使用して設定されることを特徴とする請求項５に記載の移動局装置。
【請求項７】
前記第１のセットに設定される前記物理上りリンク制御チャネルリソースの数は４つであり、
前記第２のセットに設定される前記物理上りリンク制御チャネルリソースの数は４つであることを特徴とする請求項５または請求項６のいずれかに記載の移動局装置。
【請求項８】
前記下りリンク制御情報のフィールドは、物理上りリンク制御チャネルに対する送信電力制御コマンドのフィールドであることを特徴とする請求項４から請求項７のいずれかに記載の移動局装置。
【請求項９】
前記２つの物理上りリンク制御チャネルリソースを含む、複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信する手段を備えることを特徴とする請求項４から請求項８のいずれかに記載の移動局装置。
【請求項１０】
プライマリセルとセカンダリセルとで構成される複数のサービングセルにおいて移動局装置と通信する基地局装置であって、
前記プライマリセルにおける１つの物理下りリンク共用チャネルの送信を指示する１つの物理下りリンク制御チャネルを前記プライマリセルにおいて送信する手段と、
前記セカンダリセルにおける１つの物理下りリンク共用チャネルの送信を指示する１つの物理下りリンク制御チャネルを前記セカンダリセルにおいて送信する手段と、
前記プライマリセルに対して、２つまでの下りリンクトランスポートブロックの送信が可能な下りリンク送信モードを設定した場合には、前記プライマリセルにおける前記１つの物理下りリンク共用チャネルの送信に対して、２つの物理上りリンク制御チャネルリソースを決定し、
前記セカンダリセルに対して、２つまでの下りリンクトランスポートブロックの送信が可能な下りリンク送信モードを設定した場合には、前記セカンダリセルにおける前記１つの物理下りリンク共用チャネルの送信に対して、２つの物理上りリンク制御チャネルリソースを決定する手段と、を備え、
前記プライマリセルにおける前記１つの物理下りリンク共用チャネルの送信に対する前記２つの物理上りリンク制御チャネルリソースは、前記プライマリセルにおいて送信された前記１つの物理下りリンク制御チャネルの送信に使用される制御チャネル要素の番号を用いて決定され、
前記セカンダリセルにおける前記１つの物理下りリンク共用チャネルの送信に対する前記２つの物理上りリンク制御チャネルリソースは、前記セカンダリセルにおいて送信された前記１つの物理下りリンク制御チャネルで送信される下りリンク制御情報フィールドに設定された１つの値に従って決定されることを特徴とする基地局装置。
【請求項１１】
前記プライマリセルにおける前記１つの物理下りリンク共用チャネルの送信に対する前記２つの物理上りリンク制御チャネルリソースの１つは、前記プライマリセルにおいて送信された前記１つの物理下りリンク制御チャネルの送信に使用される最初の制御チャネル要素の番号に対応し、
前記プライマリセルにおける前記１つの物理下りリンク共用チャネルの送信に対する前記２つの物理上りリンク制御チャネルリソースのもう１つは、前記プライマリセルにおいて送信された前記１つの物理下りリンク制御チャネルの送信に使用される最初の制御チャネル要素の番号に１を加えたものに対応することを特徴とする請求項１０に記載の基地局装置。
【請求項１２】
プライマリセルとセカンダリセルとで構成される複数のサービングセルにおいて移動局装置と通信する基地局装置であって、
前記セカンダリセルにおける１つの物理下りリンク共用チャネルの送信を指示する１つの物理下りリンク制御チャネルを前記セカンダリセルにおいて送信する手段と、
前記セカンダリセルに対して、２つまでの下りリンクトランスポートブロックの送信が可能な下りリンク送信モードを設定した場合には、前記１つの物理下りリンク共用チャネルの送信に対して、２つの物理上りリンク制御チャネルリソースを決定する手段と、を備え、
前記２つの物理上りリンク制御チャネルリソースは、前記１つの物理下りリンク制御チャネルで送信される下りリンク制御情報のフィールドに設定された１つの値に従って決定されることを特徴とする基地局装置。
【請求項１３】
前記２つの物理上りリンク制御チャネルリソースの１つは、複数の物理上りリンク制御チャネルリソースが設定された第１のセットの中から指示され、
前記２つの物理上りリンク制御チャネルリソースのもう１つは、複数の物理上りリンク制御チャネルリソースが設定された第２のセットの中から指示されることを特徴とする請求項１２に記載の基地局装置。
【請求項１４】
前記第１のセットに設定される前記複数の物理上りリンク制御チャネルリソースのそれぞれと、前記第２のセットに設定される前記複数の物理上りリンク制御チャネルリソースのそれぞれとを、上位層の信号を使用して設定する手段を備えることを特徴とする請求項１３に記載の基地局装置。
【請求項１５】
前記第１のセットに設定される前記物理上りリンク制御チャネルリソースの数は４つであり、
前記第２のセットに設定される前記物理上りリンク制御チャネルリソースの数は４つであることを特徴とする請求項１３または請求項１４のいずれかに記載の基地局装置。
【請求項１６】
前記下りリンク制御情報のフィールドは、物理上りリンク制御チャネルに対する送信電力制御コマンドのフィールドであることを特徴とする請求項１２から請求項１５のいずれかに記載の基地局装置。
【請求項１７】
プライマリセルとセカンダリセルとで構成される複数のサービングセルにおいて基地局装置と通信する移動局装置の通信方法であって、
前記プライマリセルにおける１つの物理下りリンク共用チャネルの送信を指示する１つの物理下りリンク制御チャネルを前記プライマリセルにおいて検出し、
前記セカンダリセルにおける１つの物理下りリンク共用チャネルの送信を指示する１つの物理下りリンク制御チャネルを前記セカンダリセルにおいて検出し、
前記プライマリセルに対して、２つまでの下りリンクトランスポートブロックの送信が可能な下りリンク送信モードが設定されている場合には、前記プライマリセルにおける前記１つの物理下りリンク共用チャネルの送信に対して、２つの物理上りリンク制御チャネルリソースを決定し、
前記セカンダリセルに対して、２つまでの下りリンクトランスポートブロックの送信が可能な下りリンク送信モードが設定されている場合には、前記セカンダリセルにおける前記１つの物理下りリンク共用チャネルの送信に対して、２つの物理上りリンク制御チャネルリソースを決定し、
前記プライマリセルにおける前記１つの物理下りリンク共用チャネルの送信に対する前記２つの物理上りリンク制御チャネルリソースは、前記プライマリセルにおいて検出された前記１つの物理下りリンク制御チャネルの送信に使用される最初の制御チャネル要素の番号を用いて決定され、
前記セカンダリセルにおける前記１つの物理下りリンク共用チャネルの送信に対する前記２つの物理上りリンク制御チャネルリソースは、前記セカンダリセルにおいて検出された前記１つの物理下りリンク制御チャネルで送信される下りリンク制御情報フィールドに設定された１つの値に従って決定されることを特徴とする通信方法。
【請求項１８】
プライマリセルとセカンダリセルとで構成される複数のサービングセルにおいて基地局装置と通信する移動局装置の通信方法であって、
前記セカンダリセルにおける１つの物理下りリンク共用チャネルの送信を指示する１つの物理下りリンク制御チャネルを前記セカンダリセルにおいて検出し、
前記セカンダリセルに対して２つまでの下りリンクトランスポートブロックの送信が可能な下りリンク送信モードが設定されている場合には、前記１つの物理下りリンク共用チャネルの送信に対して、２つの物理上りリンク制御チャネルリソースを決定し、
前記２つの物理上りリンク制御チャネルリソースは、前記１つの物理下りリンク制御チャネルで送信される下りリンク制御情報のフィールドに設定された１つの値に従って決定されることを特徴とする通信方法。
【請求項１９】
プライマリセルとセカンダリセルとで構成される複数のサービングセルにおいて移動局装置と通信する基地局装置の通信方法であって、
前記プライマリセルにおける１つの物理下りリンク共用チャネルの送信を指示する１つの物理下りリンク制御チャネルを前記プライマリセルにおいて送信し、
前記セカンダリセルにおける１つの物理下りリンク共用チャネルの送信を指示する１つの物理下りリンク制御チャネルを前記セカンダリセルにおいて送信し、
前記プライマリセルに対して、２つまでの下りリンクトランスポートブロックの送信が可能な下りリンク送信モードを設定した場合には、前記プライマリセルにおける前記１つの物理下りリンク共用チャネルの送信に対して、２つの物理上りリンク制御チャネルリソースを決定し、
前記セカンダリセルに対して、２つまでの下りリンクトランスポートブロックの送信が可能な下りリンク送信モードを設定した場合には、前記セカンダリセルにおける前記１つの物理下りリンク共用チャネルの送信に対して、２つの物理上りリンク制御チャネルリソースを決定し、
前記プライマリセルにおける前記１つの物理下りリンク共用チャネルの送信に対する前記２つの物理上りリンク制御チャネルリソースは、前記プライマリセルにおいて送信された前記１つの物理下りリンク制御チャネルの送信に使用される制御チャネル要素の番号を用いて決定され、
前記セカンダリセルにおける前記１つの物理下りリンク共用チャネルの送信に対する前記２つの物理上りリンク制御チャネルリソースは、前記セカンダリセルにおいて送信された前記１つの物理下りリンク制御チャネルで送信される下りリンク制御情報フィールドに設定された１つの値に従って決定されることを特徴とする通信方法。
【請求項２０】
プライマリセルとセカンダリセルとで構成される複数のサービングセルにおいて移動局装置と通信する基地局装置の通信方法であって、
前記セカンダリセルにおける１つの物理下りリンク共用チャネルの送信を指示する１つの物理下りリンク制御チャネルを前記セカンダリセルにおいて送信し、
前記セカンダリセルに対して、２つまでの下りリンクトランスポートブロックの送信が可能な下りリンク送信モードを設定した場合には、前記１つの物理下りリンク共用チャネルの送信に対して、２つの物理上りリンク制御チャネルリソースを決定し、
前記２つの物理上りリンク制御チャネルリソースは、前記１つの物理下りリンク制御チャネルで送信される下りリンク制御情報のフィールドに設定された１つの値に従って決定されることを特徴とする通信方法。
【発明の詳細な説明】
【技術分野】
【０００１】
本発明は、移動局装置、基地局装置、集積回路および通信方法に関する。
【背景技術】
【０００２】
３ＧＰＰ（3rd Generation Partnership Project）は、Ｗ−ＣＤＭＡ（Wideband-Code Division Multiple Access）と、ＧＳＭ（登録商標）（Global System for Mobile Communications）とを発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「LTE（Long Term Evolution）」または「EUTRA（Evolved Universal Terrestrial Radio Access）」と呼称する）、および、より広帯域な周波数帯域を利用して、さらに高速なデータの送受信を実現する移動通信システム（以下、「LTE-A（Long Term Evolution-Advanced）」または「Advanced-EUTRA」と呼称する）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Clustered-Single Carrier-Frequency Division Multiple Access、DFT-s-OFDM with Spectrum Division Control、DFT-precoded OFDMとも呼称される）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ−ＳＣ−ＦＤＭＡ方式は、シングルキャリア通信方式の特性上（シングルキャリア特性によって）、データ（情報）を送信する際のＰＡＰＲ（Peak to Average Power Ratio：ピーク電力対平均電力比、送信電力）を低く抑えることができるという特徴を持っている。
【０００５】
また、ＬＴＥ−Ａでは、ＬＴＥと同一のチャネル構造を持つ連続および／または不連続な複数の周波数帯域（キャリアとも呼称できる）（以下、「セル（Cell）」または「コンポーネントキャリア（CC：Component Carrier）」と呼称する）を複合的に使用して、１つの広帯域な周波数帯として運用する（セル集約：Cell aggregationまたはキャリア集約：Carrier aggregationと呼称される）ことが検討されている。さらに、基地局装置と移動局装置が、広帯域な周波数帯域をより柔軟に使用して通信するために、下りリンクの通信に使用される周波数帯域と上りリンクの通信に使用される周波数帯域を異なる周波数帯域幅とする（非対称セル集約：Asymmetric cell aggregationまたは非対称周波数帯域集約：Asymmetric carrier aggregation）ことも提案されている（非特許文献1）。
【０００６】
また、ＬＴＥ−Ａでは、基地局装置が、ＭＩＭＯ ＳＭ（Multiple Input Multiple Output Spatial Multiplexing）を適用して、下りリンクトランスポートブロック（Downlink TB：Downlink Transport Block）を移動局装置へ送信することが提案されている（非特許文献2）。ここで、ＭＩＭＯ ＳＭとは、複数の送信アンテナポートおよび複数の受信アンテナポートによって実現される複数の空間次元のチャネルに対して複数の信号が多重されて送受信が行なわれる技術である。ここで、アンテナポートとは信号処理に用いられる論理的なアンテナのことを示し、１つのアンテナポートは１つの物理的なアンテナによって構成されてもよいし、複数の物理的なアンテナによって構成されてもよい。また、１つの送信アンテナポートは１つの参照信号と対応されてもよい。
【０００７】
例えば、基地局装置は、物理下りリンク共用チャネル（PDSCH：Physical Downlink Shared Channel）にＭＩＭＯ ＳＭを適用して、複数の（例えば、2つまでの）下りリンク共用チャネル（DL-SCH：Downlink Shared Channel）に対するトランスポートブロックを移動局装置へ送信することが可能である。すなわち、基地局装置は、ＰＤＳＣＨにＭＩＭＯ  ＳＭを適用して、複数の（例えば、2つの）コードワード（CW：Code Word）で移動局装置へ送信する。
【０００８】
さらに、ＬＴＥ−Ａでは、移動局装置が、下りリンクトランスポートブロックに対するＨＡＲＱにおけるＡＣＫ／ＮＡＣＫ（肯定応答：Positive Acknowledgement／否定応答：Negative Acknowledgement、ACK信号またはNACK信号）を示す情報を基地局装置へ送信する方法として、チャネル選択（Channel Selection）によるＡＣＫ／ＮＡＣＫを示す情報の送信が提案されている（非特許文献3）。
【先行技術文献】
【非特許文献】
【０００９】
【非特許文献１】"Carrier aggregation in LTE-Advanced", 3GPP TSG RAN WG1 Meeting #53bis, R1-082468, June 30-July 4, 2008.
【非特許文献２】"3GPP TR36.814 v9.0.0 (2010-03)", March 30, 2010.
【非特許文献３】"Mapping Table for Rel.10 Channel Selection for CA", 3GPP TSG RAN WG1 Meeting #62, R1-104926, August 23-27, 2010.
【発明の概要】
【発明が解決しようとする課題】
【００１０】
しかしながら、従来の技術では、基地局装置が、ＭＩＭＯ ＳＭを適用して、複数の下りリンクトランスポートブロックを送信する際に、移動局装置が、複数の下りリンクトランスポートブロックに対するＡＣＫ／ＮＡＣＫを示す情報を送信するために使用される上りリンクリソースを、基地局装置によってどのように割り当てるか明らかになっていなかった。
【００１１】
本発明は、このような事情に鑑みてなされたものであり、基地局装置が、複数の下りリンクトランスポートブロックを送信する際に、移動局装置が、複数の下りリンクトランスポートブロックに対するＡＣＫ／ＮＡＣＫを示す情報を送信するために使用される上りリンクリソースを効率的に決定することができる移動局装置、基地局装置、集積回路および通信方法を提供することを目的とする。
【課題を解決するための手段】
【００１２】
（１）上記の目的を達成するために、本発明は、以下のような手段を講じた。すなわち本発明の移動局装置は、プライマリセルとセカンダリセルとで構成される複数のサービングセルにおいて基地局装置と通信する移動局装置であって、あるサービングセルにおける１つの物理下りリンク共用チャネルの送信を指示する１つの物理下りリンク制御チャネルを前記プライマリセルにおいて検出する手段と、前記あるサービングセルに対して、前記１つの物理下りリンク共用チャネルを使用した１つの下りリンクトランスポートブロックの送信が可能な下りリンク送信モードが前記基地局装置によって設定されている場合には、前記１つの物理下りリンク共用チャネルの送信に対して、１つの物理上りリンク制御チャネルリソースを決定する手段と、前記あるサービングセルに対して、前記１つの物理下りリンク共用チャネルを使用した２つまでの下りリンクトランスポートブロックの送信が可能な下りリンク送信モードが前記基地局装置によって設定されている場合には、前記１つの物理下りリンク共用チャネルの送信に対して、２つの物理上りリンク制御チャネルリソースを決定する手段と、を備え、前記１つの物理上りリンク制御チャネルリソース、または、前記２つの物理上りリンク制御チャネルリソースのそれぞれは、前記１つの物理下りリンク制御チャネルの送信に使用される最初の制御チャネル要素の番号を用いて決定されることを特徴とする。
【００１３】
（２）また、本発明の移動局装置において、前記１つの物理上りリンク制御チャネルリソースは、前記１つの物理下りリンク制御チャネルの送信に使用される最初の制御チャネル要素の番号に対応し、前記２つの物理上りリンク制御チャネルリソースの１つは、前記１つの物理下りリンク制御チャネルの送信に使用される最初の制御チャネル要素の番号に対応し、前記２つの第２の物理上りリンク制御チャネルリソースのもう１つは、前記１つの物理下りリンク制御チャネルの送信に使用される最初の制御チャネル要素の番号に１を加えたものに対応することを特徴とする。
【００１４】
（３）また、本発明の移動局装置は、前記１つの物理上りリンク制御チャネルリソース、または、前記２つの物理上りリンク制御チャネルリソースを含む、複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信する手段と備えることを特徴とする。
【００１５】
（４）また、本発明の移動局装置は、プライマリセルとセカンダリセルとで構成される複数のサービングセルにおいて基地局装置と通信する移動局装置であって、あるサービングセルにおける１つの物理下りリンク共用チャネルの送信を指示する１つの物理下りリンク制御チャネルを前記セカンダリセルにおいて検出する手段と、前記あるサービングセルに対して、前記１つの物理下りリンク共用チャネルを使用した１つの下りリンクトランスポートブロックの送信が可能な下りリンク送信モードが設定されている場合には、前記１つの物理下りリンク共用チャネルの送信に対して、１つの物理上りリンク制御チャネルリソースを決定する手段と、前記あるサービングセルに対して、前記１つの物理下りリンク共用チャネルを使用した２つまでの下りリンクトランスポートブロックの送信が可能な下りリンク送信モードが設定されている場合には、前記１つの物理下りリンク共用チャネルの送信に対して、２つの物理上りリンク制御チャネルリソースを決定する手段と、を備え、前記１つの物理上りリンク制御チャネルリソース、または、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【００１６】
（５）また、本発明の移動局装置は、前記１つの物理上りリンク制御チャネルリソースの１つは、複数の物理上りリンク制御チャネルリソースが設定された第１のセットの中から決定され、前記２つの物理上りリンク制御チャネルリソースの１つは、複数の物理上りリンク制御チャネルリソースが設定された第２のセットの中から決定され、前記２つの物理上りリンク制御チャネルリソースのもう１つは、複数の物理上りリンク制御チャネルリソースが設定された第３のセットの中から決定されることを特徴とする。
【００１７】
（６）また、本発明の移動局装置は、前記第１のセットに設定される前記複数の物理上りリンク制御チャネルリソースのそれぞれと、前記第２のセットに設定される前記複数の物理上りリンク制御チャネルリソースのそれぞれと、前記第３のセットに設定される前記複数の物理上りリンク制御チャネルリソースのそれぞれとは、前記基地局装置によって送信される上位層の信号を使用して設定されることを特徴とする。
【００１８】
（７）また、本発明の移動局装置において、前記第１のセットに設定される前記物理上りリンク制御チャネルリソースの数は４つであり、前記第２のセットに設定される前記物理上りリンク制御チャネルリソースの数は４つであり、前記第３のセットに設定される前記物理上りリンク制御チャネルリソースの数は４つであることを特徴とする。
【００１９】
（８）また、本発明の移動局装置において、前記下りリンク制御情報コマンドのフィールドは、物理上りリンク制御チャネルに対する送信電力制御のフィールドであることを特徴とする。
【００２０】
（９）また、本発明の移動局装置は、前記１つの物理上りリンク制御チャネルリソース、または、前記２つの物理上りリンク制御チャネルリソースを含む、複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信する手段を備えることを特徴とする。
【００２１】
（１０）また、本発明の基地局装置は、プライマリセルとセカンダリセルとで構成される複数のサービングセルにおいて移動局装置と通信する基地局装置であって、前記サービングセルのそれぞれに対して下りリンク送信モードを設定する手段と、第１のサービングセルに対して、１つの物理下りリンク共用チャネルを使用した１つの下りリンクトランスポートブロックの送信が可能な下りリンク送信モードを設定し、前記第１のサービングセルにおける前記１つの物理下りリンク共用チャネルの送信を指示する１つの物理下りリンク制御チャネルを前記プライマリセルにおいて送信した場合には、前記１つの物理下りリンク共用チャネルの送信に対して、１つの物理上りリンク制御チャネルリソースを決定する手段と、第２のサービングセルに対して、前記１つの物理下りリンク共用チャネルを使用した２つまでの下りリンクトランスポートブロックの送信が可能な下りリンク送信モードを設定し、前記第２のサービングセルにおける前記１つの物理下りリンク共用チャネルの送信を指示する１つの物理下りリンク制御チャネルを前記プライマリセルにおいて送信した場合には、前記１つの物理下りリンク共用チャネルの送信に対して、２つの物理上りリンク制御チャネルリソースを決定する手段と、を備え、前記１つの物理上りリンク制御チャネルリソース、または、前記２つの物理上りリンク制御チャネルリソースのそれぞれは、前記１つの物理下りリンク制御チャネルの送信に使用される制御チャネル要素の番号に関連付けられることを特徴とする。
【００２２】
（１１）また、本発明の基地局装置において、前記１つの物理上りリンク制御チャネルリソースの１つは、前記１つの物理下りリンク制御チャネルの送信に使用される最初の制御チャネル要素の番号に対応し、前記２つの物理上りリンク制御チャネルリソースの１つは、前記１つの物理下りリンク制御チャネルの送信に使用される最初の制御チャネル要素の番号に対応し、前記２つの物理上りリンク制御チャネルリソースのもう１つは、前記最初の制御チャネル要素の番号に１を加えたものに対応することを特徴とする。
【００２３】
（１２）また、本発明の基地局装置は、プライマリセルとセカンダリセルとで構成される複数のサービングセルにおいて移動局装置と通信する基地局装置であって、前記サービングセルのそれぞれに対して下りリンク送信モードを設定する手段と、第１のサービングセルに対して、１つの物理下りリンク共用チャネルを使用した１つの下りリンクトランスポートブロックの送信が可能な下りリンク送信モードを設定し、前記第１のサービングセルにおける前記１つの物理下りリンク共用チャネルの送信を指示する１つの物理下りリンク制御チャネルを前記セカンダリセルにおいて送信した場合には、前記１つの物理下りリンク共用チャネルの送信に対して、１つの物理上りリンク制御チャネルリソースを決定する手段と、第２のサービングセルに対して、前記１つの物理下りリンク共用チャネルを使用した２つまでの下りリンクトランスポートブロックの送信が可能な下りリンク送信モードを設定し、前記第２のサービングセルにおける前記１つの物理下りリンク共用チャネルの送信を指示する１つの物理下りリンク制御チャネルを前記セカンダリセルにおいて送信した場合には、前記１つの物理下りリンク共用チャネルの送信に対して、２つの物理上りリンク制御チャネルリソースを決定する手段と、を備え、前記１つの物理上りリンク制御チャネルリソース、または、前記２つの物理上りリンク制御チャネルリソースのそれぞれは、前記１つの物理下りリンク制御チャネルで送信される下りリンク制御情報のフィールドに設定された１つの値に関連付けられることを特徴とする。
【００２４】
（１３）また、本発明の基地局装置において、記１つの物理上りリンク制御チャネルリソースは、複数の物理上りリンク制御チャネルリソースが設定された第１のセットの中から指示され、前記２つの物理上りリンク制御チャネルリソースの１つは、複数の物理上りリンク制御チャネルリソースが設定された第１のセットの中から指示され、前記２つの物理上りリンク制御チャネルリソースのもう１つは、複数の物理上りリンク制御チャネルリソースが設定された第３のセットの中から指示されることを特徴とする。
【００２５】
（１４）また、本発明の基地局装置は、前記第１のセットに設定される前記複数の物理上りリンク制御チャネルリソースのそれぞれと、前記第２のセットに設定される前記複数の物理上りリンク制御チャネルリソースのそれぞれと、前記第３のセットに設定される前記複数の物理上りリンク制御チャネルリソースのそれぞれとを、上位層の信号を使用して設定する手段を備えることを特徴とする。
【００２６】
（１５）また、本発明の基地局装置において、前記第１のセットに設定される前記物理上りリンク制御チャネルリソースの数は４つであり、前記第２のセットに設定される前記物理上りリンク制御チャネルリソースの数は４つであり、前記第３のセットに設定される前記物理上りリンク制御チャネルリソースの数は４つであることを特徴とする。
【００２７】
（１６）また、本発明の基地局装置において、前記下りリンク制御情報のフィールドは、物理上りリンク制御チャネルに対する送信電力制御コマンドのフィールドであることを特徴とする。
【００２８】
（１７）また、本発明の集積回路は、プライマリセルとセカンダリセルとで構成される複数のサービングセルにおいて基地局装置と通信する移動局装置に搭載される集積回路であって、あるサービングセルにおける１つの物理下りリンク共用チャネルの送信を指示する１つの物理下りリンク制御チャネルを前記プライマリセルにおいて検出する機能と、前記あるサービングセルに対して、前記１つの物理下りリンク共用チャネルを使用した１つの下りリンクトランスポートブロックの送信が可能な下りリンク送信モードが前記基地局装置によって設定されている場合には、前記１つの物理下りリンク共用チャネルの送信に対して、１つの物理上りリンク制御チャネルリソースを決定する機能と、前記あるサービングセルに対して、前記１つの物理下りリンク共用チャネルを使用した２つまでの下りリンクトランスポートブロックの送信が可能な下りリンク送信モードが前記基地局装置によって設定されている場合には、前記１つの物理下りリンク共用チャネルの送信に対して、２つの物理上りリンク制御チャネルリソースを決定する機能と、を前記移動局装置へ発揮させ、前記１つの物理上りリンク制御チャネルリソース、または、前記２つの物理上りリンク制御チャネルリソースのそれぞれは、前記１つの物理下りリンク制御チャネルの送信に使用される最初の制御チャネル要素の番号を用いて決定されることを特徴とする。
【００２９】
（１８）また、本発明の集積回路において、前記１つの物理上りリンク制御チャネルリソースは、前記１つの物理下りリンク制御チャネルの送信に使用される最初の制御チャネル要素の番号に対応し、前記２つの物理上りリンク制御チャネルリソースの１つは、前記１つの物理下りリンク制御チャネルの送信に使用される最初の制御チャネル要素の番号に対応し、前記２つの第２の物理上りリンク制御チャネルリソースのもう１つは、前記１つの物理下りリンク制御チャネルの送信に使用される最初の制御チャネル要素の番号に１を加えたものに対応することを特徴とする。
【００３０】
（１９）また、本発明の集積回路は、前記１つの物理上りリンク制御チャネルリソース、または、前記２つの物理上りリンク制御チャネルリソースを含む、複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信する機能を前記移動局装置へ発揮させることを特徴とする。
【００３１】
（２０）また、本発明の集積回路は、プライマリセルとセカンダリセルとで構成される複数のサービングセルにおいて基地局装置と通信する移動局装置に搭載される集積回路であって、あるサービングセルにおける１つの物理下りリンク共用チャネルの送信を指示する１つの物理下りリンク制御チャネルを前記セカンダリセルにおいて検出する機能と、前記あるサービングセルに対して、前記１つの物理下りリンク共用チャネルを使用した１つの下りリンクトランスポートブロックの送信が可能な下りリンク送信モードが設定されている場合には、前記１つの物理下りリンク共用チャネルの送信に対して、１つの物理上りリンク制御チャネルリソースを決定する機能と、前記あるサービングセルに対して、前記１つの物理下りリンク共用チャネルを使用した２つまでの下りリンクトランスポートブロックの送信が可能な下りリンク送信モードが設定されている場合には、前記１つの物理下りリンク共用チャネルの送信に対して、２つの物理上りリンク制御チャネルリソースを決定する機能と、を前記移動局装置へ発揮させ、前記１つの物理上りリンク制御チャネルリソース、または、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【００３２】
（２１）また、本発明の集積回路において、前記１つの物理上りリンク制御チャネルリソースの１つは、複数の物理上りリンク制御チャネルリソースが設定された第１のセットの中から決定され、前記２つの物理上りリンク制御チャネルリソースの１つは、複数の物理上りリンク制御チャネルリソースが設定された第２のセットの中から決定され、前記２つの物理上りリンク制御チャネルリソースのもう１つは、複数の物理上りリンク制御チャネルリソースが設定された第３のセットの中から決定されることを特徴とする。
【００３３】
（２２）また、本発明の集積回路において、前記下りリンク制御情報コマンドのフィールドは、物理上りリンク制御チャネルに対する送信電力制御のフィールドであることを特徴とする。
【００３４】
（２３）また、本発明の集積回路は、前記１つの物理上りリンク制御チャネルリソース、または、前記２つの物理上りリンク制御チャネルリソースを含む、複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信する機能を前記移動局装置へ発揮させることを特徴とする。
【００３５】
（２４）また、本発明の集積回路は、プライマリセルとセカンダリセルとで構成される複数のサービングセルにおいて移動局装置と通信する基地局装置に搭載される集積回路であって、前記サービングセルのそれぞれに対して下りリンク送信モードを設定する機能と、第１のサービングセルに対して、１つの物理下りリンク共用チャネルを使用した１つの下りリンクトランスポートブロックの送信が可能な下りリンク送信モードを設定し、前記第１のサービングセルにおける前記１つの物理下りリンク共用チャネルの送信を指示する１つの物理下りリンク制御チャネルを前記プライマリセルにおいて送信した場合には、前記１つの物理下りリンク共用チャネルの送信に対して、１つの物理上りリンク制御チャネルリソースを決定する機能と、第２のサービングセルに対して、前記１つの物理下りリンク共用チャネルを使用した２つまでの下りリンクトランスポートブロックの送信が可能な下りリンク送信モードを設定し、前記第２のサービングセルにおける前記１つの物理下りリンク共用チャネルの送信を指示する１つの物理下りリンク制御チャネルを前記プライマリセルにおいて送信した場合には、前記１つの物理下りリンク共用チャネルの送信に対して、２つの物理上りリンク制御チャネルリソースを決定する機能と、を前記基地局装置へ発揮させ、前記１つの物理上りリンク制御チャネルリソース、または、前記２つの物理上りリンク制御チャネルリソースのそれぞれは、前記１つの物理下りリンク制御チャネルの送信に使用される制御チャネル要素の番号に関連付けられることを特徴とする。
【００３６】
（２５）また、本発明の集積回路において、前記１つの物理上りリンク制御チャネルリソースの１つは、前記１つの物理下りリンク制御チャネルの送信に使用される最初の制御チャネル要素の番号に対応し、前記２つの物理上りリンク制御チャネルリソースの１つは、前記１つの物理下りリンク制御チャネルの送信に使用される最初の制御チャネル要素の番号に対応し、前記２つの物理上りリンク制御チャネルリソースのもう１つは、前記最初の制御チャネル要素の番号に１を加えたものに対応することを特徴とする。
【００３７】
（２６）また、本発明の集積回路は、プライマリセルとセカンダリセルとで構成される複数のサービングセルにおいて移動局装置と通信する基地局装置に搭載される集積回路であって、前記サービングセルのそれぞれに対して下りリンク送信モードを設定する機能と、第１のサービングセルに対して、１つの物理下りリンク共用チャネルを使用した１つの下りリンクトランスポートブロックの送信が可能な下りリンク送信モードを設定し、前記第１のサービングセルにおける前記１つの物理下りリンク共用チャネルの送信を指示する１つの物理下りリンク制御チャネルを前記セカンダリセルにおいて送信した場合には、前記１つの物理下りリンク共用チャネルの送信に対して、１つの物理上りリンク制御チャネルリソースを決定する機能と、第２のサービングセルに対して、前記１つの物理下りリンク共用チャネルを使用した２つまでの下りリンクトランスポートブロックの送信が可能な下りリンク送信モードを設定し、前記第２のサービングセルにおける前記１つの物理下りリンク共用チャネルの送信を指示する１つの物理下りリンク制御チャネルを前記セカンダリセルにおいて送信した場合には、前記１つの物理下りリンク共用チャネルの送信に対して、２つの物理上りリンク制御チャネルリソースを決定する機能と、を前記基地局装置へ発揮させ、前記１つの物理上りリンク制御チャネルリソース、または、前記２つの物理上りリンク制御チャネルリソースのそれぞれは、前記１つの物理下りリンク制御チャネルで送信される下りリンク制御情報のフィールドに設定された１つの値に関連付けられることを特徴とする。
【００３８】
（２７）また、本発明の集積回路において、前記１つの物理上りリンク制御チャネルリソースは、複数の物理上りリンク制御チャネルリソースが設定された第１のセットの中から指示され、前記２つの物理上りリンク制御チャネルリソースの１つは、複数の物理上りリンク制御チャネルリソースが設定された第１のセットの中から指示され、前記２つの物理上りリンク制御チャネルリソースのもう１つは、複数の物理上りリンク制御チャネルリソースが設定された第３のセットの中から指示されることを特徴とする。
【００３９】
（２８）また、本発明の集積回路は、前記第１のセットに設定される前記複数の物理上りリンク制御チャネルリソースのそれぞれと、前記第２のセットに設定される前記複数の物理上りリンク制御チャネルリソースのそれぞれと、前記第３のセットに設定される前記複数の物理上りリンク制御チャネルリソースのそれぞれとを、上位層の信号を使用して設定する機能を前記基地局装置へ発揮させることを特徴とする。
【００４０】
（２９）まあ、本発明の集積回路において、前記第１のセットに設定される前記物理上りリンク制御チャネルリソースの数は４つであり、前記第２のセットに設定される前記物理上りリンク制御チャネルリソースの数は４つであり、前記第３のセットに設定される前記物理上りリンク制御チャネルリソースの数は４つであることを特徴とする。
【００４１】
（３０）また、本発明の集積回路において、前記下りリンク制御情報のフィールドは、物理上りリンク制御チャネルに対する送信電力制御コマンドのフィールドであることを特徴とする。
【００４２】
（３１）また、本発明の通信方法は、プライマリセルとセカンダリセルとで構成される複数のサービングセルにおいて基地局装置と通信する移動局装置の通信方法であって、あるサービングセルにおける１つの物理下りリンク共用チャネルの送信を指示する１つの物理下りリンク制御チャネルを前記プライマリセルにおいて検出し、前記あるサービングセルに対して、前記１つの物理下りリンク共用チャネルを使用した１つの下りリンクトランスポートブロックの送信が可能な下りリンク送信モードが前記基地局装置によって設定されている場合には、前記１つの物理下りリンク共用チャネルの送信に対して、１つの物理上りリンク制御チャネルリソースを決定し、前記あるサービングセルに対して、前記１つの物理下りリンク共用チャネルを使用した２つまでの下りリンクトランスポートブロックの送信が可能な下りリンク送信モードが前記基地局装置によって設定されている場合には、前記１つの物理下りリンク共用チャネルの送信に対して、２つの物理上りリンク制御チャネルリソースを決定し、前記１つの物理上りリンク制御チャネルリソース、または、前記２つの物理上りリンク制御チャネルリソースのそれぞれは、前記１つの物理下りリンク制御チャネルの送信に使用される最初の制御チャネル要素の番号を用いて決定されることを特徴とする。
【００４３】
（３２）また、本発明の通信方法は、プライマリセルとセカンダリセルとで構成される複数のサービングセルにおいて基地局装置と通信する移動局装置の通信方法であって、あるサービングセルにおける１つの物理下りリンク共用チャネルの送信を指示する１つの物理下りリンク制御チャネルを前記セカンダリセルにおいて検出し、前記あるサービングセルに対して、前記１つの物理下りリンク共用チャネルを使用した１つの下りリンクトランスポートブロックの送信が可能な下りリンク送信モードが設定されている場合には、前記１つの物理下りリンク共用チャネルの送信に対して、１つの物理上りリンク制御チャネルリソースを決定し、前記あるサービングセルに対して、前記１つの物理下りリンク共用チャネルを使用した２つまでの下りリンクトランスポートブロックの送信が可能な下りリンク送信モードが設定されている場合には、前記１つの物理下りリンク共用チャネルの送信に対して、２つの物理上りリンク制御チャネルリソースを決定し、前記１つの物理上りリンク制御チャネルリソース、または、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【００４４】
（３３）また、本発明の通信方法は、プライマリセルとセカンダリセルとで構成される複数のサービングセルにおいて移動局装置と通信する基地局装置の通信方法であって、前記サービングセルのそれぞれに対して下りリンク送信モードを設定し、第１のサービングセルに対して、１つの物理下りリンク共用チャネルを使用した１つの下りリンクトランスポートブロックの送信が可能な下りリンク送信モードを設定し、前記第１のサービングセルにおける前記１つの物理下りリンク共用チャネルの送信を指示する１つの物理下りリンク制御チャネルを前記プライマリセルにおいて送信した場合には、前記１つの物理下りリンク共用チャネルの送信に対して、１つの物理上りリンク制御チャネルリソースを決定し、第２のサービングセルに対して、前記１つの物理下りリンク共用チャネルを使用した２つまでの下りリンクトランスポートブロックの送信が可能な下りリンク送信モードを設定し、前記第２のサービングセルにおける前記１つの物理下りリンク共用チャネルの送信を指示する１つの物理下りリンク制御チャネルを前記プライマリセルにおいて送信した場合には、前記１つの物理下りリンク共用チャネルの送信に対して、２つの物理上りリンク制御チャネルリソースを決定し、前記１つの物理上りリンク制御チャネルリソース、または、前記２つの物理上りリンク制御チャネルリソースのそれぞれは、前記１つの物理下りリンク制御チャネルの送信に使用される制御チャネル要素の番号に関連付けられることを特徴とする。
【００４５】
（３４）また、本発明の通信方法は、プライマリセルとセカンダリセルとで構成される複数のサービングセルにおいて移動局装置と通信する基地局装置の通信方法であって、前記サービングセルのそれぞれに対して下りリンク送信モードを設定し、第１のサービングセルに対して、１つの物理下りリンク共用チャネルを使用した１つの下りリンクトランスポートブロックの送信が可能な下りリンク送信モードを設定し、前記第１のサービングセルにおける前記１つの物理下りリンク共用チャネルの送信を指示する１つの物理下りリンク制御チャネルを前記セカンダリセルにおいて送信した場合には、前記１つの物理下りリンク共用チャネルの送信に対して、１つの物理上りリンク制御チャネルリソースを決定し、第２のサービングセルに対して、前記１つの物理下りリンク共用チャネルを使用した２つまでの下りリンクトランスポートブロックの送信が可能な下りリンク送信モードを設定し、前記第２のサービングセルにおける前記１つの物理下りリンク共用チャネルの送信を指示する１つの物理下りリンク制御チャネルを前記セカンダリセルにおいて送信した場合には、前記１つの物理下りリンク共用チャネルの送信に対して、２つの物理上りリンク制御チャネルリソースを決定し、前記１つの物理上りリンク制御チャネルリソース、または、前記２つの物理上りリンク制御チャネルリソースのそれぞれは、前記１つの物理下りリンク制御チャネルで送信される下りリンク制御情報のフィールドに設定された１つの値に関連付けられることを特徴とする。
【発明の効果】
【００４６】
基地局装置が、複数の下りリンクトランスポートブロックを送信する際に、移動局装置が、複数の下りリンクトランスポートブロックに対するＡＣＫ／ＮＡＣＫを示す情報を送信するために使用される上りリンクリソースを効率的に決定することができる。
【図面の簡単な説明】
【００４７】
【図１】本発明の実施形態に係る物理チャネルの構成を概念的に示す図である。
【図２】本発明の実施形態に係る基地局装置１００の概略構成を示すブロック図である。
【図３】本発明の実施形態に係る移動局装置２００の概略構成を示すブロック図である。
【図４】本発明の実施形態が適用可能な移動通信システムの例を示す図である。
【図５】チャネル選択によるＡＣＫ／ＮＡＣＫを示す情報の送信を説明する図である。
【図６】第１の実施形態における基地局装置１００によるリソース割り当てを説明する図である。
【図７】第１の実施形態における基地局装置１００によるリソース割り当てを説明する別の図である。
【図８】第１の実施形態における基地局装置１００によるリソース割り当てを説明する別の図である。
【図９】第１の実施形態における基地局装置１００によるリソース割り当てを説明する別の図である。
【図１０】第１の実施形態における基地局装置１００によるリソース割り当てを説明する別の図である。
【図１１】第１の実施形態における基地局装置１００によるリソース割り当てを説明する別の図である。
【図１２】第１の実施形態における基地局装置１００によるリソース割り当てを説明する別の図である。
【発明を実施するための形態】
【００４８】
次に、本発明に係る実施形態について、図面を参照しながら説明する。図１は、本発明の実施形態におけるチャネルの一構成例を示す図である。下りリンクの物理チャネルは、物理下りリンク制御チャネル（PDCCH：Physical Downlink Control Channel）、物理下りリンク共用チャネル（PDSCH：Physical Downlink Shared Channel）などによって構成される。上りリンクの物理チャネルは、物理上りリンク共用チャネル（PUSCH：Physical Uplink Shared Channel）、物理上りリンク制御チャネル（PUCCH：Physical Uplink Control Channel）などによって構成される。
【００４９】
ＰＤＣＣＨは、ＰＤＳＣＨのリソース割り当て、下りリンクデータに対するＨＡＲＱ処理情報、ＰＵＳＣＨのリソース割り当てなどを、移動局装置２００−１〜２００−３（以下、移動局装置200-1〜200-3を合わせて、移動局装置200とも表す）に通知（指定）するために使用されるチャネルである。ＰＤＣＣＨは、複数の制御チャネル要素（CCE：Control Channel Element）から構成され、移動局装置２００は、ＣＣＥから構成されるＰＤＣＣＨを検出することによって、基地局装置１００からのＰＤＣＣＨを受信する。このＣＣＥは、周波数、時間領域において分散している複数のリソースエレメントグループ（REG：Resource Element Group、mini-CCEとも呼称される）によって構成される。ここで、リソースエレメントとは、１ＯＦＤＭシンボル（時間成分）、１サブキャリア（周波数成分）で構成される単位リソースである。
【００５０】
また、ＰＤＣＣＨは、移動局装置２００ごと、種別ごとに別々に符号化（Separate Coding）される。すなわち、移動局装置２００は、複数のＰＤＣＣＨを検出して、下りリンクのリソース割り当てや、上りリンクのリソース割り当てや、その他の制御情報を取得する。各ＰＤＣＣＨには、ＣＲＣ（巡回冗長検査）が付与されており、移動局装置２００は、ＰＤＣＣＨが構成される可能性のあるＣＣＥのセットのそれぞれに対してＣＲＣを行ない、ＣＲＣが成功したＰＤＣＣＨを、自装置宛のＰＤＣＣＨとして取得する。これは、ブラインドデコーディング（blind decoding）とも呼称され、移動局装置２００が、ブラインドデコーディングを行なうＰＤＣＣＨが構成される可能性のあるＣＣＥのセットの範囲は、検索領域（Search Space）と呼称される。すなわち、移動局装置２００は、検索領域内のＣＣＥに対して、ブラインドデコーディングを行ない、自装置宛のＰＤＣＣＨの検出を行なう。
【００５１】
移動局装置２００は、自装置宛のＰＤＣＣＨに、ＰＤＳＣＨのリソース割り当てが含まれる場合、基地局装置１００からのＰＤＣＣＨによって指示されたリソース割り当てに応じて、ＰＤＳＣＨを使用して、下りリンク信号（下りリンクデータ（下りリンク共用チャネル（DL-SCH）に対するトランスポートブロック）および／または下りリンク制御データ（下りリンク制御情報）を受信する。すなわち、このＰＤＣＣＨは、下りリンクに対するリソース割り当てを行なう信号（下りリンクグラント（Downlink grant）または下りリンクアサインメント（Downlink assignment）とも呼称する）とも言える。
【００５２】
また、移動局装置２００は、自装置宛のＰＤＣＣＨに、ＰＵＳＣＨのリソース割り当てが含まれる場合、基地局装置１００からのＰＤＣＣＨによって指示されたリソース割り当てに応じて、ＰＵＳＣＨを使用して、上りリンク信号（上りリンクデータ（上りリンク共用チャネル（UL-SCH）に対するトランスポートブロック）および／または上りリンク制御データ（上りリンク制御情報）を送信する。すなわち、このＰＤＣＣＨは、上りリンクに対するデータ送信を許可する信号（上りリンクグラント（Uplink grant）または上りリンクアサインメント（Uplink assignment）とも呼称する）とも言える。
【００５３】
ＰＤＣＣＨは、下りリンクアサインメントや上りリンクアサインメントなどの下りリンク制御情報（DCI：Downlink Control Information）を送信するために用いられる。下りリンクアサインメントは、基地局装置１００が、移動局装置２００へ送信するＰＤＳＣＨのリソースを割り当てる情報などによって構成される（が含まれる）。また、上りリンクアサインメントは、移動局装置２００が、基地局装置１００へ送信するＰＵＳＣＨのリソースを割り当てる情報などによって構成される（が含まれる）。１つの下りリンクアサインメントは、あるセルの１つのＰＤＳＣＨのリソースを割り当てる情報を含み、また、１つの上りリンクアサインメントは、あるセルの１つのＰＵＳＣＨのリソースを割り当てる情報を含む。
【００５４】
ここで、下りリンク制御情報には複数の下りリンク制御情報フォーマット（DCIフォーマット）が用意される。異なるＤＣＩフォーマットは異なる目的のために用いられる。ＤＣＩフォーマットは、ＤＣＩフォーマットにマップされる複数のフィールドのサイズおよび順番、フィールドにマップされる情報の種類などによって定義される。
【００５５】
例えば、下りリンクアサインメントとして用いられるＤＣＩフォーマットとして、ＰＤＳＣＨが、基地局装置１００によってシングルアンテナポートで送信される（例えば、1つのPDSCHコードワード（1つのトランスポートブロック）が送信される）場合に使用されるＤＣＩフォーマット１／１Ａが定義される。また、例えば、下りリンクアサインメントとして用いられるＤＣＩフォーマットとして、ＰＤＳＣＨが、基地局装置１００によってマルチアンテナポートで送信される（例えば、2つまでのPDSCHコードワード（2つまでのトランスポートブロック）が送信される）場合に使用されるＤＣＩフォーマット２などが定義される。
【００５６】
例えば、下りリンクアサインメントとして用いられるＤＣＩフォーマット１／１Ａには、ＰＤＳＣＨのリソース割り当てを示す情報、変調符号化方式を示す情報（MCS情報）、新データインディケータ（New data indicator）、ＰＵＣＣＨに対するＴＰＣコマンド（TPC （Transmission Power Control）command for PUCCH）などが含まれる。
【００５７】
また、例えば、下りリンクアサインメントとして用いられるＤＣＩフォーマット２には、ＰＤＳＣＨのリソース割り当てを示す情報、第１のコードワード（第1のトランスポートブロック）に対する変調符号化方式を示す情報（MCS情報1）、第２のコードワード（第2のトランスポートブロック）に対する変調符号化方式を示す情報（MCS情報2）、第１のコードワード（第1のトランスポートブロック）に対する新データインディケータ（New data indicator1）、第２のコードワード（第2のトランスポートブロック）に対する新データインディケータ（New data indicator2）ＰＵＣＣＨに対するＴＰＣコマンド（TPC command for PUCCH）などが含まれる。
【００５８】
ＰＤＳＣＨは、下りリンクデータ（下りリンク共用チャネル（DL-SCH）に対するトランスポートブロック）またはページング情報（ページングチャネル：PCH）を送信するために使用されるチャネルである。基地局装置１００は、ＰＤＣＣＨによって割り当てたＰＤＳＣＨを使用して、下りリンクトランスポートブロック（下りリンク共用チャネル（DL-SCH）に対するトランスポートブロック）を移動局装置２００へ送信する。
【００５９】
ここで、下りリンクデータとは、例えば、ユーザーデータを示しており、ＤＬ−ＳＣＨは、トランスポートチャネルである。また、下りリンクデータ（DL-SCH）をＰＤＳＣＨで送信する単位は、トランスポートブロック（TB：Transport Block）と呼称され、トランスポートブロックは、ＭＡＣ（Media Access Control）層で取り扱われる単位である。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００６０】
ここで、トランスポートブロックは、物理層において、コードワード（CW：Code Word）に対応付けられる。例えば、基地局装置１００は、ＰＤＳＣＨにＭＩＭＯ ＳＭを適用して、２つのコードワードで送信することができる。
【００６１】
ＰＵＳＣＨは、主に、上りリンクデータ（上りリンク共用チャネル（UL-SCH）に対するトランスポートブロック）を送信するために使用されるチャネルである。移動局装置２００は、基地局装置１００から送信されたＰＤＣＣＨによって割り当てられたＰＵＳＣＨを使用して、上りリンクトランスポートブロック（上りリンク共用チャネル（UL-SCH）に対するトランスポートブロック）を基地局装置１００へ送信する。
【００６２】
また、基地局装置１００が、移動局装置２００をスケジューリングした場合には、上りリンク制御情報もＰＵＳＣＨを使用して送信される。ここで、上りリンク制御情報には、チャネル状態情報（CSI：Channel State Information）や、チャネル品質識別子（CQI：Channel Quality Indicator）や、プレコーディングマトリックス識別子（PMI：Precoding Matrix Indicator）や、ランク識別子（RI：Rank Indicator）が含まれる。また、上りリンク制御情報には、下りリンクトランスポートブロック（DL-SCHでも良い）に対するＨＡＲＱにおけるＡＣＫ／ＮＡＣＫを示す情報が含まれる。また、上りリンク制御情報には、移動局装置２００が上りリンクデータを送信するためのリソースの割り当てを要求する（UL-SCHでの送信を要求する）スケジューリング要求（SR：Scheduling Request）が含まれる。
【００６３】
ここで、上りリンクデータとは、例えば、ユーザーデータを示しており、ＵＬ−ＳＣＨは、トランスポートチャネルである。また、上りリンクデータ（UL-SCH）をＰＵＳＣＨで送信する単位は、トランスポートブロック（TB：Transport Block）と呼称され、トランスポートブロックは、ＭＡＣ（Medium Access Control）層で取り扱われる単位である。また、ＰＵＳＣＨは、時間領域、周波数領域によって定義される（構成される）物理チャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００６４】
また、上りリンクデータ（UL-SCH）および下りリンクデータ（DL-SCH）には、基地局装
置１００と移動局装置２００の間でやり取りされる無線資源制御信号（以下、「RRCシグ
ナリング：Radio Resource Control Signaling」と呼称する）が含まれていても良い。ま
た、上りリンクデータ（UL-SCH）および下りリンクデータ（DL-SCH）には、基地局装置１００と移動局装置２００の間でやり取りされるＭＡＣ（Medium Access Control）コントロールエレメントが含まれていても良い。
【００６５】
基地局装置１００と移動局装置２００は、上位層（無線リソース制御（Radio Resource Control）層）においてＲＲＣシグナリングを送受信する。また、基地局装置１００と移動局装置２００は、上位層（媒体アクセス制御（MAC：Medium Access Control）層）においてＭＡＣコントロールエレメントを送受信する。
【００６６】
ＰＵＣＣＨは、上りリンク制御情報を送信するために使用されるチャネルである。ここで、上りリンク制御情報には、チャネル状態情報（CSI）や、チャネル品質識別子（CQI）や、プレコーディングマトリックス識別子（PMI）や、ランク識別子（RI）が含まれる。また、上りリンク制御情報には、下りリンクトランスポートブロック（DL-SCH）に対するＨＡＲＱにおけるＡＣＫ／ＮＡＣＫを示す情報が含まれる。また、上りリンク制御情報には、移動局装置２００が上りリンクデータを送信するためのリソースの割り当てを要求する（UL-SCHでの送信を要求する）スケジューリング要求（SR）が含まれる。
【００６７】
［基地局装置１００の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００６８】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００６９】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００７０】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００７１】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００７２】
スケジューリング部１０４は、媒体アクセス制御（MAC：Medium Access Control）層の処理を行なう。スケジューリング部１０４は、論理チャネルとトランスポートチャネルのマッピング、下りリンクおよび上りリンクのスケジューリング（HARQ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００７３】
スケジューリング部１０４は、下りリンクのスケジューリングでは、移動局装置２００から受信した上りリンク制御情報（CSI、CQI、PMI、RIや、下りリンクトランスポートブロックに対するACK/NACKを示す情報、スケジューリング要求など）や、各移動局装置２００の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００７４】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００７５】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャネルを、必要に応じて処理した後、上りリンクの論理チャネルにマッピングし、上位層１０８へ出力する。
【００７６】
チャネル推定部１０５は、上りリンクデータの復調のために、上りリンク復調用参照信号（UDRS：Uplink Demodulation Reference Signal）から上りリンクのチャネル状態を推定し、その推定結果を受信データ復調部１０６に出力する。また、上りリンクのスケジューリングを行なうために、上りリンク測定用参照信号（SRS：Sounding Reference Signal）から上りリンクのチャネル状態を推定し、その推定結果をスケジューリング部１０４に出力する。
【００７７】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（DFT-S-OFDM）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００７８】
データ抽出部１０７は、受信データ復調部１０６から入力されたデータに対して、正誤を確認するとともに、確認結果（ACKまたはNACK）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＰＭＩ、ＲＩや、下りリンクトランスポートブロックに対するＡＣＫ／ＮＡＣＫを示す情報や、スケジューリング要求などが含まれている。
【００７９】
上位層１０８は、パケットデータ統合プロトコル（PDCP：Packet Data Convergence Protocol）層、無線リンク制御（RLC：Radio Link Control）層、無線リソース制御（RRC：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００８０】
上位層１０８は、無線リソース制御部１１０（制御部ともいう）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（UEID）の管理などを行なっている。上位層１０８は、別の基地局装置１００への情報および上位ノードへの情報の授受を行なう。
【００８１】
［移動局装置２００の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８と、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００８２】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００８３】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００８４】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００８５】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００８６】
スケジューリング部２０４は、媒体アクセス制御（MAC：Medium Access Control）層の処理を行なう。スケジューリング部２０４は、論理チャネルとトランスポートチャネルのマッピング、下りリンクおよび上りリンクのスケジューリング（HARQ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００８７】
スケジューリング部２０４は、下りリンクのスケジューリングでは、基地局装置１００や上位層２０８からのスケジューリング情報（トランスポートフォーマットやHARQ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００８８】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやHARQ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００８９】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、ＣＱＩや、ＰＭＩや、ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００９０】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態（無線伝搬路状態、CSI、CQI、PMI、RI）の推定結果を通知するために、下りリンク参照信号から下りリンクのチャネル状態を推定し、この推定結果を、例えば、ＣＳＩや、ＣＱＩや、ＰＭＩや、ＲＩとして、スケジューリング部２０４に出力する。
【００９１】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００９２】
データ抽出部２０７は、受信データ復調部２０６から入力されたデータに対して、ＣＲＣチェックを行ない、正誤を確認するとともに、確認結果（ACKまたはNACKを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００９３】
上位層２０８は、パケットデータ統合プロトコル（PDCP：Packet Data Convergence Protocol）層、無線リンク制御（RLC：Radio Link Control）層、無線リソース制御（RRC：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００９４】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（UEID）の管理を行なう。
【００９５】
［セル集約（キャリア集約）について］
図４は、セル集約（キャリア集約とも呼称される）をサポートする移動通信システムにおける基地局装置１００と移動局装置２００の処理の一例を示す図である。本発明における移動通信システムにおいて、セル集約は、上りリンクと下りリンクでサポートされ（例えば、上りリンクと下りリンクで5つまでのセル（コンポーネントキャリアとも呼称される）がサポートされ）、各セル（コンポーネントキャリア）は１１０リソースブロックまでの送信帯域幅（transmission bandwidth、LTEと同等の送信帯域幅）を持つことができる。
【００９６】
図４において、横軸は周波数領域、縦軸は時間領域を示している。また、図４では、３つのサービングセル（Serving cell）（サービングセル1、サービングセル2、サービングセル3）が集約されていることを示している。ここで、集約される複数のサービングセルのうちの、例えば、１つのサービングセルはプライマリセル（Pcell：Primary cell）と定義される。例えば、プライマリセルは、ＬＴＥのセルと同等の機能を持つサービングセルとして定義される。
【００９７】
また、図４において、プライマリセルを除いたサービングセルはセカンダリセル（Scell：Secondary cell）と定義される。セカンダリセルは、プライマリセルよりも機能が制限されたセルであり、例えば、主にＰＤＳＣＨおよび／またはＰＵＳＣＨの送受信のために使用することができる。
【００９８】
ここで、下りリンクにおいて、サービングセルに対応するキャリアは、下りリンクコンポーネントキャリア（DLCC：Downlink Component Carrier）と呼称される。また、上りリンクにおいて、サービングセルに対応するキャリアは、上りリンクコンポーネントキャリア（ULCC：Uplink Component Carrier）と呼称される。
【００９９】
また、下りリンクにおいて、プライマリセルに対応するキャリアは、下りリンクプライマリコンポーネントキャリア（DLPCC:Downlink Primary Component Carrier）と呼称される。また、下りリンクにおいて、セカンダリセルに対応するキャリアは、下りリンクセカンダリコンポーネントキャリア（DLSCC:Downlink Secondary Component Carrier）と呼称される。また、上りリンクにおいて、プライマリセルに対応するキャリアは、上りリンクプライマリコンポーネントキャリア（ULPCC：Uplink Primary Component Carrier）と呼称される。さらに、上りリンクにおいて、セカンダリセルに対応するキャリアは、上りリンクセカンダリコンポーネントキャリア（ULSCC:Uplink Secondary Component Carrier）と呼称される。
【０１００】
基地局装置１００は、移動局装置２００に対して、プライマリセルを設定することができる。例えば、基地局装置１００は、移動局装置２００に対して、ＲＲＣシグナリングを使用して、移動局装置固有に（UE-specificallyに）プライマリセルを設定することができる。同様に、基地局装置１００は、移動局装置２００に対して、セカンダリセルを設定することができる。例えば、基地局装置１００は、移動局装置２００に対して、ＲＲＣシグナリングを使用して、移動局装置固有に（UE-specificallyに）セカンダリセルを設定することができる。
【０１０１】
ここで、例えば、基地局装置１００は、プライマリセルとして、ＤＬＰＣＣとＵＬＰＣＣの両方を設定する。また、基地局装置１００は、セカンダリセルとして、ＤＬＳＣＣとＵＬＳＣＣの両方を設定する。ここで、基地局装置１００は、セカンダリセルとして、ＤＬＳＣＣのみを設定しても良い。
【０１０２】
また、サービングセルの周波数またはキャリア周波数は、サービング周波数またはサービングキャリア周波数と呼称される。また、プライマリセルの周波数またはキャリア周波数は、プライマリ周波数またはプライマリキャリア周波数と呼称される。さらに、セカンダリセルの周波数またはキャリア周波数は、セカンダリ周波数またはセカンダリキャリア周波数と呼称される。
【０１０３】
例えば、基地局装置１００と移動局装置２００は、最初に１つのサービングセルで通信を開始し、その後、基地局装置１００からのＲＲＣシグナリングによって、１つのプライマリセルと、１つまたは複数のサービングセルのセットが移動局装置２００に設定される。
【０１０４】
図４では、プライマリセルとしてサービングセル１が、セカンダリセルとしてサービングセル２とサービングセル３が示されている。基地局装置１００は、プライマリセルとして、サービングセル１のＤＬＣＣとＵＬＣＣ（DLPCCとULPCC）を設定する。また、基地局装置１００は、セカンダリセルとして、サービングセル２のＤＬＣＣとＵＬＣＣ（DLSCC-1とULSCC-1）を設定する。さらに、基地局装置１００は、セカンダリセルとして、サービングセル３のＤＬＣＣのみ（DLSCC-2）を設定する。
【０１０５】
ここで、例えば、図４において、ＤＬＣＣそれぞれには、右上がりの斜線で示されるようにＰＤＣＣＨが配置される。また、ＤＬＣＣそれぞれには、白塗りで示されるようにＰＤＳＣＨが配置される。すなわち、ＰＤＣＣＨとＰＤＳＣＨは、時間多重される。また、例えば、ＵＬＣＣそれぞれには、黒塗りで示されるようにＰＵＣＣＨが配置される。さらに、ＵＬＣＣそれぞれには、横線で示されるようにＰＵＳＣＨが配置される。すなわち、ＰＵＣＣＨとＰＵＳＣＨは周波数多重される。
【０１０６】
図４において、基地局装置１００と移動局装置２００は、１つのサービングセル（DLCC）で１つのＰＤＣＣＨを送受信することができる。また、基地局装置１００と移動局装置２００は、１つのサービングセル（DLCC）で１つのＰＤＳＣＨを送受信することができる。また、基地局装置１００と移動局装置２００は、１つのサービングセル（ULCC）で１つのＰＵＳＣＨを送受信することができる。さらに、基地局装置１００と移動局装置２００は、１つのサービングセル（ULCC）で１つのＰＵＣＣＨを送受信することができる。
【０１０７】
すなわち、図４において、基地局装置１００と移動局装置２００は、３つのＤＬＣＣを使用して、同一サブフレームで３つのＰＤＣＣＨを送受信することができる。また、基地局装置１００と移動局装置２００は、３つのＤＬＣＣを使用して、同一サブフレームで３つのＰＤＳＣＨを送受信することができる。また、基地局装置１００と移動局装置２００は、２つのＵＬＣＣを使用して、同一サブフレームで２つのＰＵＳＣＨを送受信することができる。ここで、基地局装置１００と移動局装置２００は、同一サブフレームで、１つのＰＵＣＣＨのみを送受信することができる。
【０１０８】
図４において、基地局装置１００は、プライマリセルにおけるＰＤＳＣＨのリソースを割り当てる情報を含む下りリンクアサインメントを、プライマリセルにおけるＰＤＣＣＨを使用して送信する。また、基地局装置１００は、プライマリセルにおけるＰＵＳＣＨのリソースを割り当てる情報を含む上りリンクグラントを、プライマリセルにおけるＰＤＣＣＨを使用して送信する。また、基地局装置１００は、セカンダリセルにおけるＰＤＳＣＨのリソースを割り当てる情報を含む下りリンクアサインメントがＰＤＣＣＨで送信される１つのサービングセルを、移動局装置２００に対して設定することができる（PDCCHとPDSCHのリンク（linkage、linking）を設定することができる）。さらに、基地局装置１００は、セカンダリセルにおけるＰＵＳＣＨのリソースを割り当てる情報を含む上りリンクグラントがＰＤＣＣＨで送信される１つのサービングセルを、移動局装置２００に対して設定することができる（PDCCHとPUSCHのリンク（linkage、linking）を設定することができる）。例えば、基地局装置１００は、これらの設定を、ＲＲＣシグナリングを使用して、移動局装置固有に行なうことができる。
【０１０９】
ここで、移動局装置２００は、あるセカンダリセルにおけるＰＤＳＣＨのリソースを割り当てる情報を含む下りリンクアサインメントとＰＵＳＣＨのリソースを割り当てる情報を含む上りリンクグラントが、基地局装置１００によって、異なるサービングセルで送信されると設定された場合には、このセカンダリセルにおいてＰＤＣＣＨのデコード処理を行なわない。
【０１１０】
例えば、図４において、サービングセル２におけるＰＤＳＣＨのリソースを割り当てる情報を含む下りリンクアサインメントとＰＵＳＣＨのリソースを割り当てる情報を含む上りリンクグラントがサービングセル１で送信され、サービングセル３におけるＰＤＳＣＨのリソースを割り当てる情報を含む下りリンクアサインメントが、サービングセル３で送信されることが、基地局装置１００によって設定された場合には、移動局装置２００は、サービングセル１とサービングセル３においてＰＤＣＣＨのデコード処理を行ない、サービングセル２においてＰＤＣＣＨのデコード処理を行なわない。
【０１１１】
基地局装置１００は、下りリンクアサインメントによってＰＤＳＣＨのリソースを割り当てるサービングセルを示す情報（キャリアインディケータ：Carrier Indicator、Carrier Indicator Field）を、下りリンクアサインメントに含めて移動局装置２００へ送信することができる。また、基地局装置１００は、上りリンクグラントによってＰＵＳＣＨのリソースを割り当てるサービングセルを示す情報（キャリアインディケータ）を、上りリンクグラントに含めて移動局装置２００へ送信することができる。ここで、例えば、基地局装置１００は、下りリンクアサインメントに、キャリアインディケータを含めて送信するかどうかを、ＲＲＣシグナリングを使用して、移動局装置固有に、設定することできる。また、例えば、基地局装置１００は、上りリンクグラントに、キャリアインディケータを含めて送信するかどうかを、ＲＲＣシグナリングを使用して、移動局装置固有に、設定することができる。
【０１１２】
［チャネル選択によるＡＣＫ／ＮＡＣＫを示す情報の送信について］
図５は、チャネル選択（Channel Selection）によるＡＣＫ／ＮＡＣＫを示す情報の送信に使用されるＡＣＫ／ＮＡＣＫテーブルの一例を示す図である。基地局装置１００と移動局装置２００は、図５に示すようなＡＣＫ／ＮＡＣＫテーブルを使用することによって、下りリンクデータに対するＡＣＫ／ＮＡＣＫを示す情報を送受信する。ここで、図５に示すようなＡＣＫ／ＮＡＣＫテーブルは、仕様等によって予め定義され、基地局装置１００と移動局装置２００の間で既知の情報としておく。
【０１１３】
例えば、基地局装置１００と移動局装置２００は、基地局装置１００によって設定されたセルや、基地局装置１００によって設定された各セルに対する下りリンク送信モードなどに応じて、２ビットＡＣＫ／ＮＡＣＫテーブル（2つのACK/NACKを示す情報を送信する際に使用するACK/NACKテーブル）、３ビットＡＣＫ／ＮＡＣＫテーブル（3つのACK/NACKを示す情報を送信する際に使用するACK/NACKテーブル）、４ビットＡＣＫ／ＮＡＣＫテーブル（4つのACK/NACKを示す情報を送信する際に使用するACK/NACKテーブル）を切り替えて使用する。
【０１１４】
例えば、基地局装置１００は、通信に使用するセル（セルの数とも言える）を、ＲＲＣシグナリングを使用して、移動局装置固有に設定することができる。また、例えば、基地局装置１００は、各セルに対する（各セルで使用される）下りリンク送信モードを、ＲＲＣシグナリングを使用して、移動局装置固有に設定することができる。
【０１１５】
また、基地局装置１００は、移動局装置２００に対して、チャネル選択によってＡＣＫ／ＮＡＣＫを示す情報を送信することを設定することができる。例えば、基地局装置１００は、ＲＲＣシグナリングを使用して、移動局装置固有に、チャネル選択によってＡＣＫ／ＮＡＣＫを示す情報を送信することを設定することができる。
【０１１６】
例えば、基地局装置１００と移動局装置２００は、基地局装置１００によって２つのセルが設定されるとともに、各セルに対する下りリンク送信モードとしてシングルアンテナポートによる下りリンクデータの送信（MIMO SMを適用しないPDSCHの送信、PDSCHを使用した１つのトランスポートブロック（1つのコードワード）の送信）が設定された場合には、２ビットＡＣＫ／ＮＡＣＫテーブルを使用する。
【０１１７】
また、例えば、基地局装置１００と移動局装置２００は、基地局装置１００によって２つのセルが設定されるとともに、ある１つのセルに対する下りリンク送信モードとしてマルチアンテナポートによる下りリンクデータの送信（MIMO SMを適用したPDSCHの送信、PDSCHを使用した２つまでのトランスポートブロック（2つまでのコードワード）の送信）が、ある１つのセルに対する下りリンク送信モードとしてシングルアンテナポートによる下りリンクデータの送信が設定された場合には、３ビットＡＣＫ／ＮＡＣＫテーブルを使用する。
【０１１８】
また、例えば、基地局装置１００と移動局装置２００は、基地局装置１００によって２つのセルが設定され、各セルに対する下りリンク送信モードとしてマルチアンテナポートによる下りリンクデータの送信が設定された場合には、４ビットＡＣＫ／ＮＡＣＫテーブルを使用する。
【０１１９】
図５は、例として、４ビットＡＣＫ／ＮＡＣＫテーブル（4ビットで表される16種類のACK/NACKの組み合わせを表すACK/NACKテーブル）を示している。また、例として、それぞれのリソース（PUCCHリソース）で２ビットの情報（QPSK信号）が送信されるＡＣＫ／ＮＡＣＫテーブルを示している。
【０１２０】
移動局装置２００は、基地局装置１００から送信された（複数の）トランスポートブロックに対するＡＣＫ／ＮＡＣＫを示す情報に応じて、（複数の）リソースの中から１つのリソースと、（選択した、決定した）リソースで送信されるビット系列を選択（決定）する。移動局装置２００は、選択したリソースで、選択したビット系列（ビット系列から生成されたQPSK信号）を送信することによって、トランスポートブロックに対するＡＣＫ／ＮＡＣＫを示す情報（トランスポートブロックに対するＡＣＫ／ＮＡＣＫに関する情報）を送信することができる。すなわち、移動局装置２００によって選択されたリソースと、選択されたリソースで送信されるＱＰＳＫの信号点によって、基地局装置１００から送信されたトランスポートブロックに対するＡＣＫ／ＮＡＣＫを示す情報が示される。
【０１２１】
例えば、図５は、基地局装置１００によって、２つのセルが設定され、プライマリセルに対する下りリンク送信モードとしてマルチアンテナポートによるＰＤＳＣＨの送信が、セカンダリセルに対する下りリンク送信モードとしてマルチアンテナポートによるＰＤＳＣＨの送信が設定された場合に、基地局装置１００と移動局装置２００によって使用されるＡＣＫ／ＮＡＣＫテーブルを示している。例えば、基地局装置１００と移動局装置２００は、図５に示すようなＡＣＫ／ＮＡＣＫテーブルを使用して、基地局装置１００からプライマリセルにおいてＰＤＳＣＨで送信された２つのトランスポートブロックに対するＡＣＫ／ＮＡＣＫを示す情報、セカンダリセルにおいてＰＤＳＣＨで送信された２つのトランスポートブロックに対するＡＣＫ／ＮＡＣＫを示す情報を送受信する。
【０１２２】
ここで、例えば、図５において、第１のＡＣＫ／ＮＡＣＫをプライマリセルにおいてＰＤＳＣＨで送信される第１のトランスポートブロックに対するＡＣＫ／ＮＡＣＫを示す情報を示していると定義することができる。また、第２のＡＣＫ／ＮＡＣＫをプライマリセルにおいてＰＤＳＣＨで送信される第２のトランスポートブロックに対するＡＣＫ／ＮＡＣＫを示す情報を示していると定義することができる。また、第３のＡＣＫ／ＮＡＣＫをセカンダリセルにおいてＰＤＳＣＨで送信される第１のトランスポートブロックに対するＡＣＫ／ＮＡＣＫを示す情報を示していると定義することができる。また、第４のＡＣＫ／ＮＡＣＫをセカンダリセルにおいてＰＤＳＣＨで送信される第２のトランスポートブロックに対するＡＣＫ／ＮＡＣＫを示す情報を示していると定義することができる。
【０１２３】
同様に、例えば、図５は、基地局装置１００によって、３つのセルが設定され、プライマリセルに対する下りリンク送信モードとしてマルチアンテナポートによるＰＤＳＣＨの送信が、２つのセカンダリセルそれぞれに対する下りリンク送信モードとしてシングルアンテナポートによるＰＤＳＣＨの送信が設定された場合に、基地局装置１００と移動局装置２００によって使用されるＡＣＫ／ＮＡＣＫテーブルを示している。例えば、基地局装置１００と移動局装置２００は、図５に示すようなＡＣＫ／ＮＡＣＫテーブルを使用して、基地局装置１００からプライマリセルにおいてＰＤＳＣＨで送信された１つのトランスポートブロックに対するＡＣＫ／ＮＡＣＫを示す情報、セカンダリセルそれぞれにおいてＰＤＳＣＨで送信された１つずつのトランスポートブロックに対するＡＣＫ／ＮＡＣＫを示す情報を送受信する。
【０１２４】
ここで、例えば、図５において、第１のＡＣＫ／ＮＡＣＫをプライマリセルにおいてＰＤＳＣＨで送信された第１のトランスポートブロックに対するＡＣＫ／ＮＡＣＫを示す情報を示していると定義することができる。また、第２のＡＣＫ／ＮＡＣＫをプライマリセルにおいてＰＤＳＣＨで送信された第２のトランスポートブロックに対するＡＣＫ／ＮＡＣＫを示す情報を示していると定義することができる。また、第３のＡＣＫ／ＮＡＣＫをあるセカンダリセル（セカンダリセル1）においてＰＤＳＣＨで送信された第１のトランスポートブロックに対するＡＣＫ／ＮＡＣＫを示す情報を示していると定義することができる。また、第４のＡＣＫ／ＮＡＣＫを別の１つのセカンダリセル（セカンダリセル2）においてＰＤＳＣＨで送信された第１のトランスポートブロックに対するＡＣＫ／ＮＡＣＫを示す情報を示していると定義することができる。
【０１２５】
ここで、基地局装置１００と移動局装置２００が、第１または第２または第３または第４のＡＣＫ／ＮＡＣＫとして、どのＰＤＳＣＨに対するＡＣＫ／ＮＡＣＫを示す情報を送受信するのかは、予め仕様等によって定義され、基地局装置１００と移動局装置２００との間で既知の情報としておく。
【０１２６】
例えば、図４において、移動局装置２００は、プライマリセルにおいてＰＤＳＣＨで送信された第１のトランスポートブロックに対してＡＣＫ、プライマリセルにおいてＰＤＳＣＨで送信された第２のトランスポートブロックに対してＮＡＣＫ、セカンダリセルにおいてＰＤＳＣＨで送信された第１のトランスポートブロックに対してＮＡＣＫ、セカンダリセルにおいてＰＤＳＣＨで送信された第２のトランスポートブロックに対してＮＡＣＫを示す場合、リソース１とビット系列“００”を選択し、リソース１を使用して、ビット系列“００”に対応するＱＰＳＫ信号を基地局装置１００へ送信することができる。
【０１２７】
同様に、例えば、図４において、プライマリセルにおいてＰＤＳＣＨで送信された第１のトランスポートブロックに対してＡＣＫ、プライマリセルにおいてＰＤＳＣＨで送信された第２のトランスポートブロックに対してＡＣＫ、セカンダリセルにおいてＰＤＳＣＨで送信された第１のトランスポートブロックに対してＮＡＣＫ、セカンダリセルにおいてＰＤＳＣＨで送信された第２のトランスポートブロックに対してＡＣＫを示す場合、リソース４とビット系列“０１”を選択し、リソース４を使用して、ビット系列“０１”に対応するＱＰＳＫ信号を基地局装置１００へ送信することができる。
【０１２８】
（第１の実施形態）
次に、基地局装置１００および移動局装置２００を用いた移動通信システムにおける第１の実施形態を説明する。第１の実施形態では、移動局装置２００は、基地局装置１００によって設定されたセル（セルの数）と、基地局装置１００によって設定されたセルに対する下りリンク送信モードと、基地局装置１００がプライマリセルで送信するＰＤＣＣＨ（下りリンクアサインメント）によってスケジュールされるＰＤＳＣＨから、基地局装置１００によって明示的に設定されるＰＵＣＣＨのリソース数を決定する。
【０１２９】
また、移動局装置２００は、基地局装置１００がセカンダリセルで送信するＰＤＣＣＨ（下りリンクアサインメント）によってスケジュールされるセカンダリセルにおけるＰＤＳＣＨから、基地局装置１００によって明示的に設定されるＰＵＣＣＨのリソース数を決定する。
【０１３０】
また、移動局装置２００は、基地局装置１００がプライマリセルまたはセカンダリセルで送信するＰＤＣＣＨ（下りリンクアサインメント）によってスケジュールされるセカンダリセルにおけるＰＤＳＣＨと、プライマリセルで送信するＰＤＣＣＨ（下りリンクアサインメント）によってスケジュールされるセカンダリセルにおけるＰＤＳＣＨから、基地局装置１００によって明示的に設定されるＰＵＣＣＨのリソース数を決定する。
【０１３１】
また、ＰＵＣＣＨリソースは、基地局装置１００によってＲＲＣシグナリングを使用して設定される。また、ＰＵＣＣＨリソースは、基地局装置１００によってＲＲＣシグナリングを使用して複数の候補が設定され、ＰＤＣＣＨ（下りリンクアサインメント）で送信されるリソース指示情報（ARI：ACK Resource Indicator、Assignment Resource Indicator）によって複数の候補の中から指示される。
【０１３２】
また、基地局装置１００によってＲＲＣシグナリングを使用して設定されるＰＵＣＣＨリソースの複数の候補は、複数のセカンダリセルそれぞれに対して異なる複数の候補が設定され、複数のセカンダリセルそれぞれで送信される下りリンクアサインメントに独立して含まれるリソース指示情報（ARI）によって指示される。
【０１３３】
また、基地局装置１００によってＲＲＣシグナリングを使用して設定されるＰＵＣＣＨリソースの複数の候補は、複数のセカンダリセルに対して共通の複数の候補が設定され、複数のセカンダリセルそれぞれで送信される下りリンクアサインメントに独立して含まれるリソース指示情報（ARI）によって指示される。
【０１３４】
また、基地局装置１００によってＲＲＣシグナリングを使用して設定されるＰＵＣＣＨリソースの複数の候補は、複数のセカンダリセルに対して共通の複数の候補が設定され、複数のセカンダリセルそれぞれで送信される下りリンクアサインメントに含まれる同じ値にセットされたリソース指示情報（ARI）によって指示される。
【０１３５】
図６は、移動局装置２００がＡＣＫ／ＮＡＣＫを示す情報を送信する際の基地局装置１００によるリソース割り当て（RA：Resource Allocation、Resource Assignment）を説明する図である。図６において、基地局装置１００は、移動局装置２００がＡＣＫ／ＮＡＣＫを示す情報を送信するための複数のリソース（例えば、4つのPUCCHリソース）を移動局装置２００へ割り当て、移動局装置２００は、上記までに示したようなチャネル選択を使用することによって、基地局装置１００から同一サブフレームで送信される複数のトランスポートブロックに対するＡＣＫ／ＮＡＣＫを示す情報を基地局装置１００へ送信する。
【０１３６】
図６において、基地局装置１００は、移動局装置２００に対して、３つのセル（プライマリセル、セカンダリセル1、セカンダリセル2）を設定していることを示している。また、基地局装置１００は、移動局装置２００に対して、各セルに対する下りリンク送信モードとして、プライマリセルに対してマルチアンテナポートによるＰＤＳＣＨの送信（以下、単にMIMOモードとも記載する）を、セカンダリセル１に対してシングルアンテナポートによるＰＤＳＣＨの送信（以下、単にNon-MIMOモードとも記載する）を、セカンダリセル２に対してシングルアンテナポートによるＰＤＳＣＨの送信を設定していることを示している。
【０１３７】
すなわち、移動局装置２００は、基地局装置１００からプライマリセルにおいてＰＤＳＣＨで送信される２つまでのトランスポートブロック（TB0：Transport Block 0、TB1：Transport Block 1、以下、 CW0、CW1とも記載する）と、セカンダリセル１においてＰＤＳＣＨで送信される１つのトランスポートブロック、セカンダリセル２においてＰＤＳＣＨで送信される１つのトランスポートブロックに対するＡＣＫ／ＮＡＣＫを示す情報を送信する。
【０１３８】
ここで、移動局装置２００は、サブフレームｎでのＡＣＫ／ＮＡＣＫを示す情報の送信に対して、プライマリセルにおけるリソース（PUCCHリソース）を使用する。すなわち、基地局装置１００は、プライマリセルにおけるリソースを移動局装置２００へ割り当て、移動局装置２００は、プライマリセルにおけるリソースを使用してＡＣＫ／ＮＡＣＫを示す情報を送信する。以下、例として、移動局装置２００は、サブフレームｎ−４でＰＤＣＣＨとＰＤＳＣＨを基地局装置１００から受信し、サブフレームｎでＰＤＳＣＨに対するＡＣＫ／ＮＡＣＫを示す情報を基地局装置１００へ送信することを記載する。
【０１３９】
図６において、基地局装置１００は、プライマリセルにおけるＰＤＣＣＨ（下りリンクアサインメント）を使用してプライマリセルにおけるＰＤＳＣＨ（PDSCHを使用した2つまでのトランスポートブロックの送信）をスケジュールしていることを示している。また、基地局装置１００は、セカンダリセル１におけるＰＤＣＣＨ（下りリンクアサインメント）を使用してセカンダリセル１におけるＰＤＳＣＨ（PDSCHを使用した1つのコードワードの送信）をスケジュールしていることを示している。また、基地局装置１００は、セカンダリセル２におけるＰＤＣＣＨ（下りリンクアサインメント）を使用してセカンダリセル２におけるＰＤＳＣＨ（PDSCHを使用した1つのコードワードの送信）をスケジュールしていることを示している。
【０１４０】
ここで、図６において、基地局装置１００は、プライマリセルで送信されるＰＤＣＣＨを使用してプライマリセルにおけるＰＤＳＣＨをスケジュールした場合には、送信したＰＤＣＣＨに対応させて、第１のリソースと第２のリソースを暗示的に割り当てる。
【０１４１】
すなわち、基地局装置１００は、プライマリセルで送信されるＰＤＣＣＨを使用してプライマリセルにおけるＰＤＳＣＨをスケジュールした場合には、送信したＰＤＣＣＨに対応させて、第１のリソース（第1のPUCCHリソース）を暗示的に（implicitlyに）割り当てる。例えば、基地局装置１００は、プライマリセルで送信されるＰＤＣＣＨを使用してプライマリセルにおけるＰＤＳＣＨをスケジュールした場合には、ＰＤＣＣＨの送信に使用される最初のＣＣＥに対応させて、第１のリソースを暗示的に割り当てる。
【０１４２】
すなわち、基地局装置１００によって暗示的に割り当てられる第１のリソースとは、移動局装置２００が、プライマリセルにおいてサブフレームｎ−４で、対応するＰＤＣＣＨを検出することによってＰＤＳＣＨ送信が指示された場合に、対応するＰＤＣＣＨの送信に使用される最初のＣＣＥ（lowest CCE indexとも呼称される、最初のＣＣＥの番号でも良い）を含む関数（単に、算出式でも良い）によって得られるリソースのことを示している。
【０１４３】
例えば、基地局装置１００によって暗示的に割り当てられる第１のリソースは、ＰＤＣＣＨの送信に使用される最初のＣＣＥと、基地局装置１００によって設定される（例えば、RRCシグナリングを使用して設定される）オフセット値によって、移動局装置２００によって決定（識別、算出）される。例えば、基地局装置１００によって暗示的に割り当てられる第１のリソースは、ＰＤＣＣＨの送信に使用される最初のＣＣＥとオフセット値を含む関数から得られるインデックスと、第１のリソースのインデックスを対応させることによって決定される。
【０１４４】
すなわち、移動局装置２００は、プライマリセルにおいてサブフレームｎ−４で、対応するＰＤＣＣＨを検出することによってＰＤＳＣＨ送信が指示された場合、対応するＰＤＣＣＨの送信に使用される最初のＣＣＥ（最初のCCEとオフセット値でも良い）を用いることによって、基地局装置１００によって暗示的に割り当てられた第１のリソースを決定（識別、算出）することができる。
【０１４５】
同様に、基地局装置１００は、プライマリセルで送信されるＰＤＣＣＨを使用してプライマリセルにおけるＰＤＳＣＨをスケジュールした場合には、送信したＰＤＣＣＨに対応させて、第２のリソース（第2のPUCCHリソース）を暗示的に割り当てる。例えば、基地局装置１００は、プライマリセルで送信されるＰＤＣＣＨを使用してプライマリセルにおけるＰＤＳＣＨをスケジュールした場合には、ＰＤＣＣＨの送信に使用される最初のＣＣＥ＋１（最初のCCEに1を加えたもの）に対応させて、第１のリソースを暗示的に割り当てる。
【０１４６】
すなわち、基地局装置１００によって暗示的に割り当てられる第２のリソースとは、移動局装置２００が、プライマリセルにおいてサブフレームｎ−４で、対応するＰＤＣＣＨを検出することによってＰＤＳＣＨ送信が指示された場合に、対応するＰＤＣＣＨの送信に使用される最初のＣＣＥ＋１（lowest CCE index＋1のCCE index、最初のCCEに1を加えたものでも良い）を含む関数（単に、算出式でも良い）によって得られるリソースのことを示している。
【０１４７】
例えば、基地局装置１００によって暗示的に割り当てられる第２のリソースは、ＰＤＣＣＨの送信に使用される最初のＣＣＥ＋１と、基地局装置１００によって設定される（例えば、RRCシグナリングを使用して設定される）オフセット値によって、移動局装置２００によって決定（識別、算出）される。例えば、基地局装置１００によって暗示的に割り当てられる第２のリソースは、ＰＤＣＣＨの送信に使用される最初のＣＣＥ＋１とオフセット値を含む関数から得られるインデックスと、第２のリソースのインデックスを対応させることによって決定される。
【０１４８】
すなわち、移動局装置２００は、プライマリセルにおいてサブフレームｎ−４で、対応するＰＤＣＣＨを検出することによってＰＤＳＣＨ送信が指示された場合、対応するＰＤＣＣＨの送信に使用される最初のＣＣＥ＋１（最初のCCE＋1とオフセット値でも良い）を用いることによって、基地局装置１００によって暗示的に割り当てられた第２のリソースを決定（識別、算出）することができる。すなわち、移動局装置２００は、プライマリセルにおいて、対応するＰＤＣＣＨを検出することによってＰＤＳＣＨ送信が指示された場合、対応するＰＤＣＣＨの送信に使用される最初のＣＣＥを使用して、２つのリソースを決定することができる。すなわち、２つのリソースの１つは、ＰＤＣＣＨの送信に使用される最初のＣＣＥに対応して決定され、２つのリソースのもう１つは、ＰＤＣＣＨの送信に使用される最初のＣＣＥ＋１に対応して決定される。
【０１４９】
ここで、基地局装置１００による第２のリソースの暗示的な割り当て方法として、ＰＤＣＣＨの送信に使用される最初のＣＣＥ＋１を利用することを例として記載したが、基地局装置１００が、第２のリソースを割り当てる際に、ＰＤＣＣＨの送信に使用されるそれ以外のＣＣＥを利用しても良いことは勿論である。例えば、基地局装置１００は、第２のリソースの暗示的な割り当て方法として、ＰＤＣＣＨの送信に使用される最初のＣＣＥ−１や、最初のＣＣＥ＋２を利用しても良い。ここで、基地局装置１００が、第２のリソースの暗示的な割り当て方法として、ＰＤＣＣＨの送信に使用される最初のＣＣＥ＋１を利用した場合、複数の移動局装置２００に対してリソースを割り当てる際のスケジューリングが容易となり、より効率的にリソースを割り当てることができる。
【０１５０】
さらに、図６において、基地局装置１００は、セカンダリセルで送信されるＰＤＣＣＨを使用してセカンダリセルにおけるＰＤＳＣＨをスケジュールする場合には、移動局装置２００に対して、事前にリソース（PUCCHリソース）を明示的に（explicitlyに）設定する。
【０１５１】
例えば、図６において、基地局装置１００は、セカンダリセル１で送信されるＰＤＣＣＨを使用してセカンダリセル１におけるＰＤＳＣＨをスケジュールする場合には、移動局装置２００に対して、第３のリソース（第3のPUCCHリソース）を明示的に設定する。また、例えば、基地局装置１００は、セカンダリセル２で送信されるＰＤＣＣＨを使用してセカンダリセル２におけるＰＤＳＣＨをスケジュールする場合には、移動局装置２００に対して、第４のリソース（第4のPUCCHリソース）を明示的に設定する。
【０１５２】
ここで、基地局装置１００によって明示的に設定される（割り当てられる、指示される）リソースとは、基地局装置１００が、ＲＲＣシグナリングを使用して設定するリソースが含まれる。また、基地局装置１００によって明示的に設定されるリソースとは、後述する、基地局装置１００が、リソース指示情報（ARI：ACK Resource Indicator、Assignment Resource Indicator）を使用して指示するリソースが含まれる。
【０１５３】
すなわち、基地局装置１００によって明示的に割り当てられるリソースとは、移動局装置２００が、セカンダリセルにおいてサブフレームｎ−４で、対応するＰＤＣＣＨを検出することによってＰＤＳＣＨ送信が指示された場合に、基地局装置１００からのＲＲＣシグナリングによって設定されるリソースのことを示している。
【０１５４】
すなわち、移動局装置２００は、セカンダリセルにおいてサブフレームｎ−４で、対応するＰＤＣＣＨを検出することによってＰＤＳＣＨ送信が指示された場合、基地局装置１００からのＲＲＣシグナリングによってリソースを設定される。
【０１５５】
ここで、基地局装置１００は、リソースを割り当てる際に、移動局装置２００に対して、事前にＲＲＣシグナリングを使用してリソースの候補（リソースの候補となる複数のリソースのセット）を設定し、セカンダリセルで送信されるＰＤＣＣＨを使用してＰＤＳＣＨをスケジュールした場合に、ＰＤＣＣＨ（下りリンクアサインメント）を使用してリソース指示情報（ARI、例えば2ビットの情報によって表される）を送信することによって、リソースを明示的に指示しても良い。基地局装置１００は、移動局装置２００に対して、事前に設定したリソースの複数の候補の中から、ＡＲＩを使用することによって、実際に割り当てるリソースを明示的に指示することができる。
【０１５６】
ここで、例えば、ＡＲＩには、ＰＤＣＣＨ（下りリンクアサインメント）で送信される下りリンク制御情報がマップされるフィールドが使用（再利用）される。すなわち、基地局装置１００と移動局装置２００は、基地局装置１００が、セカンダリセルで送信されるＰＤＣＣＨを使用してＰＤＳＣＨをスケジュールした場合には、ＰＤＣＣＨで送信される下りリンク制御情報（上述した、下りリンク制御情報）がマッピングされるフィールドを、ＡＲＩがマッピングされるフィールドと解釈を変更して認識（識別）する。例えば、基地局装置１００と移動局装置２００は、ＰＤＣＣＨ（下りリンクアサインメント）で送信されるＰＵＣＣＨに対するＴＰＣコマンド（TPC command for PUCCH、2ビットの情報によって表される）がマップされるフィールドを、ＡＲＩがマップされるフィールドとして認識することができる。
【０１５７】
すなわち、基地局装置１００と移動局装置２００は、基地局装置１００が、プライマリセルで送信されるＰＤＣＣＨを使用してＰＤＳＣＨをスケジュールした場合には、ＰＤＣＣＨで送信されるＰＵＣＣＨに対するＴＰＣコマンド（TPC command for PUCCH）がマップされるフィールドにセットされる値は、ＰＵＣＣＨに対する送信パワーコントロールのための値として認識する。また、基地局装置１００と移動局装置２００は、基地局装置１００が、セカンダリセルで送信されるＰＤＣＣＨを使用してＰＤＳＣＨをスケジュールした場合には、ＰＤＣＣＨで送信されるＰＵＣＣＨに対するＴＰＣコマンド（TPC command for PUCCH）がマップされるフィールドにセットされる値は、基地局装置１００によって指示されるリソースを示す値（ARI）として認識する。
【０１５８】
図６では、基地局装置１００が、セカンダリセル１で送信されるＰＤＣＣＨを使用してセカンダリセル１におけるＰＤＳＣＨをスケジューリングする場合に、移動局装置２００に対して、事前に第３のリソースの候補として４つのリソース（explicit RA（ARI-1）として表される）を設定し、ＡＲＩ−１によって、４つのリソースの中から実際に割り当てる第３のリソースを指示していることを示している。
【０１５９】
また、同様に、基地局装置１００が、セカンダリセル２で送信されるＰＤＣＣＨを使用してセカンダリセル２におけるＰＤＳＣＨをスケジューリングする場合に、移動局装置２００に対して、事前に第４のリソースの候補として４つのリソース（explicit RA（ARI-2）として表される）を設定し、ＡＲＩ−２によって、４つのリソースの中から実際に割り当てる第４のリソースを指示していることを示している。
【０１６０】
ここで、図６において、基地局装置１００は、セカンダリセル毎に異なるリソースの候補（第3のリソースの候補となる複数のリソースのセット、第4のリソースの候補となる複数のリソースのセット）を設定し、セカンダリセル（セカンダリセル1、セカンダリセル2）のＰＤＣＣＨそれぞれで送信されるＡＲＩ（ARI-1、ARI-2）を使用して、異なる１つずつのリソースを指示する。
【０１６１】
すなわち、基地局装置１００は、セカンダリセルのＰＤＣＣＨそれぞれで独立したＡＲＩを送信することによって、セカンダリセル毎に異なるリソースの候補の中から１つずつのリソース（第3のリソース、第4のリソース）を指示することができる。
【０１６２】
図７は、図６と同様に基地局装置１００によるリソース割り当てを説明する図であり、図６との違いは、基地局装置１００によるＡＲＩを使用した明示的なリソース割り当ての方法である。図７において、基地局装置１００は、ＡＲＩを使用してリソースを指示する際に、事前にセカンダリセルで共通のリソースの候補（第3のリソース、第4のリソースの候補となる複数のリソースのセット）を設定し、セカンダリセル（セカンダリセル1、セカンダリセル2）のＰＤＣＣＨそれぞれで送信されるＡＲＩ（ARI-1、ARI-2）を使用して、異なる１つずつのリソースを指示する。
【０１６３】
すなわち、基地局装置１００は、セカンダリセルのＰＤＣＣＨそれぞれで独立したＡＲＩを送信することによって、セカンダリセルで共通のリソースの候補の中から１つずつのリソース（第3のリソース、第4のリソース）を指示することができる。
【０１６４】
また、図７において、基地局装置１００は、セカンダリセルで共通のリソースの候補（第3のリソース、第4のリソースの候補となる複数のリソースのセット、指示するリソースの候補が複数含まれるリソースグループのセットとも言える）を設定し、セカンダリセル（セカンダリセル1、セカンダリセル2）で送信されるＰＤＣＣＨそれぞれで送信されるＡＲＩ（ARI-1、ARI-2）に同じ値をセットすることによって、１つのリソースグループを指示しても良い。
【０１６５】
すなわち、基地局装置１００は、セカンダリセルのＰＤＣＣＨそれぞれで同じ値にセットされたＡＲＩを送信することによって、指示するリソースの候補が複数含まれるリソースグループのセットの中から１つのリソースグループ（第3のリソース、第4のリソースを示すリソースグループ）を指示することができる。ここで、移動局装置２００は、セカンダリセルのＰＤＣＣＨ（下りリンクアサインメント）で送信されるＡＲＩには、全て同じ値がセットされていると想定（assume）する。
【０１６６】
上記までに示したように、図６および図７において、基地局装置１００は、プライマリセルに対する下りリンク送信モードとしてＭＩＭＯモードを設定し、プライマリセルで送信されるＰＤＣＣＨ（下りリンクアサインメント）を使用してプライマリセルにおけるＰＤＳＣＨ（PDSCHを使用した2つまでのトランスポートブロックの送信）をスケジュールした場合には、第１のリソースと第２のリソース（2つのPUCCHリソース）を暗示的に割り当てる。
【０１６７】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールした場合には、２つのＰＵＣＣＨリソースが暗示的に割り当てられる。
【０１６８】
ここで、後述するように、基地局装置１００によって、Ｎｏｎ−ＭＩＭＯモードが設定されたセルにおけるＰＤＳＣＨ（PDSCHを使用した1つのトランスポートブロックの送信）を、プライマリセルで送信されるＰＤＣＣＨ（下りリンクアサインメント）を使用してスケジュールした場合には、１つのＰＵＣＣＨリソースが暗示的に割り当てられる。
【０１６９】
また、基地局装置１００は、セカンダリセル１に対する下りリンク送信モードとしてＮｏｎ−ＭＩＭＯモードを設定し、セカンダリセル１で送信されるＰＤＣＣＨ（下りリンクアサインメント）を使用してセカンダリセル１におけるＰＤＳＣＨ（PDSCHを使用した1つのトランスポートブロックの送信）をスケジュールする場合には、第３のリソース（1つのPUCCHリソース）を明示的に設定する。
【０１７０】
さらに、基地局装置１００は、セカンダリセル２に対する下りリンク送信モードとしてＮｏｎ−ＭＩＭＯモードを設定し、セカンダリセル２で送信されるＰＤＣＣＨ（下りリンクアサインメント）を使用してセカンダリセル２におけるＰＤＳＣＨ（PDSCHを使用した1つのトランスポートブロックの送信）をスケジュールする場合には、第４のリソース（1つのPUCCHリソース）を明示的に設定する。
【０１７１】
すなわち、基地局装置１００によって、Ｎｏｎ−ＭＩＭＯモードが設定されたセルにおけるＰＤＳＣＨ（PDSCHを使用した1つのトランスポートブロックの送信）を、セカンダリセルで送信されるＰＤＣＣＨ（下りリンクアサインメント）を使用してスケジュールする場合には、１つのＰＵＣＣＨリソースが明示的に設定される。
【０１７２】
ここで、後述するように、基地局装置１００によって、ＭＩＭＯモードが設定されたセルにおけるＰＤＳＣＨ（PDSCHを使用した2つまでのトランスポートブロックの送信）を、セカンダリセルで送信されるＰＤＣＣＨ（下りリンクアサインメント）を使用してスケジュールする場合には、２つのＰＵＣＣＨリソースが明示的に設定される。
【０１７３】
ここで、図６および図７において、第１のリソースは、図５におけるリソース１に対応させることができる。また、第２のリソースは、図５におけるリソース２に対応させることができる。また、第３のリソースは、図５におけるリソース３に対応させることができる。また、第４のリソースは、図５におけるリソース４に対応させることができる。上記に示したように、移動局装置２００は、チャネル選択を使用して、基地局装置１００から同一サブフレームで送信される複数のトランスポートブロックに対するＡＣＫ／ＮＡＣＫを示す情報を送信する。
【０１７４】
図８は、移動局装置２００がＡＣＫ／ＮＡＣＫを示す情報を送信する際の基地局装置１００によるリソース割り当てを説明する図である。図８において、基地局装置１００は、移動局装置２００に対して、３つのセル（プライマリセル、セカンダリセル1、セカンダリセル2）を設定していることを示している。また、基地局装置１００は、移動局装置２００に対して、各セルに対する下りリンク送信モードとして、プライマリセルに対してＮｏｎ−ＭＩＭＯモードを、セカンダリセル１に対してＭＩＭＯモードを、セカンダリセル２に対してＮｏｎ−ＭＩＭＯモードを設定していることを示している。
【０１７５】
すなわち、移動局装置２００は、基地局装置１００からプライマリセルにおいてＰＤＳＣＨで送信される１つのトランスポートブロックと、セカンダリセル１においてＰＤＳＣＨで送信される２つまでのトランスポートブロック、セカンダリセル２において送信されるＰＤＳＣＨの１つのトランスポートブロックに対するＡＣＫ／ＮＡＣＫを示す情報を送信する。
【０１７６】
図８において、基地局装置１００は、プライマリセルにおけるＰＤＣＣＨ（下りリンクアサインメント）を使用してプライマリセルにおけるＰＤＳＣＨ（PDSCHを使用した1つのトランスポートブロックの送信）をスケジュールしていることを示している。また、基地局装置１００は、プライマリセルにおけるＰＤＣＣＨ（下りリンクアサインメント）を使用してセカンダリセル１におけるＰＤＳＣＨ（PDSCHを使用した2つまでのトランスポートブロックの送信）をスケジュールしていることを示している。また、基地局装置１００は、セカンダリセル２におけるＰＤＣＣＨ（下りリンクアサインメント）を使用してセカンダリセル２におけるＰＤＳＣＨ（PDSCHを使用した1つのトランスポートブロックの送信）をスケジュールしていることを示している。
【０１７７】
ここで、図８において、基地局装置１００は、プライマリセルで送信されるＰＤＣＣＨを使用してプライマリセルにおけるＰＤＳＣＨをスケジュールした場合には、送信したＰＤＣＣＨに対応させて、第１のリソース（第1のPUCCHリソース）を暗示的に割り当てる。例えば、基地局装置１００は、プライマリセルで送信されるＰＤＣＣＨを使用してプライマリセルにおけるＰＤＳＣＨをスケジュールした場合には、ＰＤＣＣＨの送信に使用される最初のＣＣＥ（最初のCCEとオフセット値でも良い）を用いて、第１のリソースを暗示的に割り当てる。
【０１７８】
また、図８において、基地局装置１００は、プライマリセルで送信されるＰＤＣＣＨを使用してセカンダリセル１におけるＰＤＳＣＨをスケジュールした場合には、送信したＰＤＣＣＨに対応させて、第２のリソース（第2のPUCCHリソース）と第３のリソース（第3のPUCCHリソース）を暗示的に割り当てる。
【０１７９】
すなわち、基地局装置１００は、プライマリセルで送信されるＰＤＣＣＨを使用してセカンダリセル１におけるＰＤＳＣＨをスケジュールした場合には、送信したＰＤＣＣＨに対応させて、第２のリソース（第2のPUCCHリソース）を暗示的に割り当てる。例えば、基地局装置１００は、プライマリセルで送信されるＰＤＣＣＨを使用してセカンダリセル１におけるＰＤＳＣＨをスケジュールした場合には、ＰＤＣＣＨの送信に使用される最初のＣＣＥ（最初のCCEとオフセット値でも良い）を用いて、第２のリソースを暗示的に割り当てる。
【０１８０】
同様に、基地局装置１００は、プライマリセルで送信されるＰＤＣＣＨを使用してセカンダリセル１におけるＰＤＳＣＨをスケジュールした場合には、送信したＰＤＣＣＨに対応させて、第３のリソース（第3のPUCCHリソース）を暗示的に割り当てる。例えば、基地局装置１００は、プライマリセルで送信されるＰＤＣＣＨを使用してセカンダリセル１におけるＰＤＳＣＨをスケジュールした場合には、ＰＤＣＣＨの送信に使用される最初のＣＣＥ＋１（最初のCCEに1を加えたもの）に対応させて、第３のリソースを暗示的に割り当てる。
【０１８１】
さらに、図８において、基地局装置１００は、セカンダリセル２で送信されるＰＤＣＣＨを使用してセカンダリセル２におけるＰＤＳＣＨをスケジュールする場合には、移動局装置２００に対して、事前に第４のリソース（第4のPUCCHリソース）を明示的に設定する。
【０１８２】
例えば、基地局装置１００は、セカンダリセル２で送信されるＰＤＣＣＨを使用してセカンダリセル２におけるＰＤＳＣＨをスケジュールする場合には、第４のリソースを、ＲＲＣシグナリングを使用して明示的に設定する。また、基地局装置１００は、移動局装置２００に対して、事前にＲＲＣシグナリングを使用して第４のリソースの候補を設定し、セカンダリセル２で送信されるＰＤＣＣＨを使用してセカンダリセル２におけるＰＤＳＣＨをスケジュールする場合には、ＰＤＣＣＨで送信されるリソース指示情報（ARI）によって、実際に割り当てる第４のリソースを明示的に指示することができる。
【０１８３】
上記までに示したように、図８において、基地局装置１００は、プライマリセルに対する下りリンク送信モードとしてＮｏｎ−ＭＩＭＯモードを設定し、プライマリセルで送信されるＰＤＣＣＨ（下りリンクアサインメント）を使用してプライマリセルにおけるＰＤＳＣＨ（PDSCHを使用した1つのトランスポートブロックの送信）をスケジュールした場合には、第１のリソース（1つのPUCCHリソース）を暗示的に移動局装置２００へ割り当てる。
【０１８４】
すなわち、基地局装置１００によって、Ｎｏｎ−ＭＩＭＯモードが設定されたセルにおけるＰＤＳＣＨ（PDSCHを使用した1つのトランスポートブロックの送信）を、プライマリセルで送信されるＰＤＣＣＨ（下りリンクアサインメント）を使用してスケジュールする場合には、１つのＰＵＣＣＨリソースが暗示的に割り当てられる。
【０１８５】
また、基地局装置１００は、セカンダリセル１に対する下りリンク送信モードとしてＭＩＭＯモードを設定し、プライマリセルで送信されるＰＤＣＣＨ（下りリンクアサインメント）を使用してセカンダリセル１におけるＰＤＳＣＨ（PDSCHを使用した2つまでのトランスポートブロックの送信）をスケジュールした場合には、第２のリソースと第３のリソース（2つのPUCCHリソース）を暗示的に移動局装置２００へ割り当てる。
【０１８６】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールした場合には、２つのＰＵＣＣＨリソースが暗示的に割り当てられる。
【０１８７】
また、基地局装置１００は、セカンダリセル２に対する下りリンク送信モードとしてＮｏｎ−ＭＩＭＯモードを設定し、セカンダリセル２で送信されるＰＤＣＣＨ（下りリンクアサインメント）を使用してセカンダリセル２におけるＰＤＳＣＨ（PDSCHを使用した1つのトランスポートブロックの送信）をスケジュールする場合には、第４のリソース（1つのPUCCHリソース）を明示的に移動局装置２００へ設定する。
【０１８８】
すなわち、基地局装置１００によって、Ｎｏｎ−ＭＩＭＯモードが設定されたセルにおけるＰＤＳＣＨ（PDSCHを使用した1つのトランスポートブロックの送信）を、セカンダリセルで送信されるＰＤＣＣＨ（下りリンクアサインメント）を使用してスケジュールする場合には、１つのＰＵＣＣＨリソースが明示的に設定される。
【０１８９】
ここで、図８において、第１のリソースは、図５におけるリソース１に対応させることができる。また、第２のリソースは、図５におけるリソース２に対応させることができる。また、第３のリソースは、図５におけるリソース３に対応させることができる。また、第４のリソースは、図５におけるリソース４に対応させることができる。上記に示したように、移動局装置２００は、チャネル選択を使用して、基地局装置１００から同一サブフレームで送信される複数のトランスポートブロックに対するＡＣＫ／ＮＡＣＫを示す情報を送信する。
【０１９０】
図９は、移動局装置２００がＡＣＫ／ＮＡＣＫを示す情報を送信する際の基地局装置１００によるリソース割り当てを説明する図である。図９において、基地局装置１００は、移動局装置２００に対して、３つのセル（プライマリセル、セカンダリセル1、セカンダリセル2）を設定していることを示している。また、基地局装置１００は、移動局装置２００に対して、各セルに対する下りリンク送信モードとして、プライマリセルに対してＮｏｎ−ＭＩＭＯモードを、セカンダリセル１に対してＮｏｎ−ＭＩＭＯモードを、セカンダリセル２に対してＭＩＭＯモードを設定していることを示している。
【０１９１】
すなわち、移動局装置２００は、基地局装置１００からプライマリセルにおいてＰＤＳＣＨで送信される１つのトランスポートブロックと、セカンダリセル１においてＰＤＳＣＨで送信される１つのトランスポートブロック、セカンダリセル２においてＰＤＳＣＨで送信される２つまでのトランスポートブロックに対するＡＣＫ／ＮＡＣＫを示す情報を送信する。
【０１９２】
図９において、基地局装置１００は、プライマリセルにおけるＰＤＣＣＨ（下りリンクアサインメント）を使用してプライマリセルにおけるＰＤＳＣＨ（PDSCHを使用した1つのトランスポートブロックの送信）をスケジュールしていることを示している。また、基地局装置１００は、プライマリセルにおけるＰＤＣＣＨ（下りリンクアサインメント）を使用してセカンダリセル１におけるＰＤＳＣＨ（PDSCHを使用した1つのトランスポートブロックの送信）をスケジュールしていることを示している。また、基地局装置１００は、セカンダリセル２におけるＰＤＣＣＨ（下りリンクアサインメント）を使用してセカンダリセル２におけるＰＤＳＣＨ（PDSCHを使用した2つまでのトランスポートブロックの送信）をスケジュールしていることを示している。
【０１９３】
ここで、図９において、基地局装置１００は、プライマリセルで送信されるＰＤＣＣＨを使用してプライマリセルにおけるＰＤＳＣＨをスケジュールした場合には、送信したＰＤＣＣＨに対応させて、第１のリソース（第1のPUCCHリソース）を暗示的に割り当てる。例えば、基地局装置１００は、プライマリセルで送信されるＰＤＣＣＨを使用してプライマリセルにおけるＰＤＳＣＨをスケジュールした場合には、ＰＤＣＣＨの送信に使用される最初のＣＣＥ（最初のCCEとオフセット値でも良い）を用いて、第１のリソースを暗示的に割り当てる。
【０１９４】
また、図９において、基地局装置１００は、プライマリセルで送信されるＰＤＣＣＨを使用してセカンダリセル１におけるＰＤＳＣＨをスケジュールした場合には、送信したＰＤＣＣＨに対応させて、第２のリソース（第2のPUCCHリソース）を暗示的に割り当てる。例えば、基地局装置１００は、プライマリセルで送信されるＰＤＣＣＨを使用してセカンダリセル１におけるＰＤＳＣＨをスケジュールした場合には、ＰＤＣＣＨの送信に使用される最初のＣＣＥ（最初のCCEとオフセット値でも良い）を用いて、第２のリソースを暗示的に割り当てる。
【０１９５】
さらに、図９において、基地局装置１００は、セカンダリセル２で送信されるＰＤＣＣＨを使用してセカンダリセル２におけるＰＤＳＣＨをスケジュールする場合には、移動局装置２００に対して、事前に第３のリソース（第3のPUCCHリソース）と第４のリソース（第4のPUCCHリソース）を明示的に設定する。
【０１９６】
例えば、基地局装置１００は、セカンダリセル２で送信されるＰＤＣＣＨを使用してセカンダリセル２におけるＰＤＳＣＨをスケジュールする場合には、第３のリソースと第４のリソースを、ＲＲＣシグナリングを使用して明示的に設定する。また、基地局装置１００は、移動局装置２００に対して、事前にＲＲＣシグナリングを使用して第３のリソースの候補と第４のリソースの候補を設定し、セカンダリセル２で送信されるＰＤＣＣＨを使用してセカンダリセル２におけるＰＤＳＣＨをスケジュールする場合には、ＰＤＣＣＨで送信されるリソース指示情報（ARI）によって、実際に割り当てる第３のリソースと第４のリソースを明示的に指示することができる。
【０１９７】
ここで、図９において、基地局装置１００は、ＡＲＩを使用してリソースを指示する際に、事前に、指示するリソース毎に異なるリソースの候補（第3のリソースの候補となる複数のリソースのセット、第4のリソースの候補となる複数のリソースのセット）を設定し、セカンダリセル２のＰＤＣＣＨで送信されるＡＲＩを使用して、異なる１つずつのリソースを指示しても良い。すなわち、基地局装置１００は、セカンダリセル２のＰＤＣＣＨで送信されるＡＲＩにセットされた１つの値を使用して、２つのリソースを指示することができる。すなわち、移動局装置２００は、ＡＲＩにセットされた１つの値に従って、２つのリソースの１つを、第３のリソースの候補となる複数のリソースのセットの中から決定し、２つのリソースのもう１つを、第４のリソースの候補となる複数のリソースのセットの中から決定することができる。このように、基地局装置１００が、ＡＲＩにセットされた１つの値を使用して、２つのリソースを指示することによって、より効率的にリソースを指示することができる。
【０１９８】
すなわち、基地局装置１００は、セカンダリセル２のＰＤＣＣＨでＡＲＩを送信することによって、指示するリソース毎に異なるリソースの候補の中から１つずつのリソース（第3のリソース、第4のリソース）を指示することができる。
【０１９９】
また、図９に示すように、基地局装置１００は、ＡＲＩを使用してリソースを指示する際に、事前に、指示するリソースに対して共通のリソースの候補（第3のリソース、第4のリソースの候補となる複数のリソースのセット、指示するリソースの候補が複数含まれるリソースグループのセットとも言える）を設定し、セカンダリセル２のＰＤＣＣＨで送信されるＡＲＩを使用して、１つのリソースグループを指示しても良い。
【０２００】
すなわち、基地局装置１００は、セカンダリセル２のＰＤＣＣＨでＡＲＩを送信することによって、指示するリソースの候補が複数含まれるリソースグループのセットの中から１つのリソースグループ（第3のリソース、第4のリソースを示すリソースグループ）を指示することができる。
【０２０１】
上記までに示したように、図９において、基地局装置１００は、プライマリセルに対する下りク送信モードとしてＮｏｎ−ＭＩＭＯモードを設定し、プライマリセルで送信されるＰＤＣＣＨ（下りリンクアサインメント）を使用してプライマリセルにおけるＰＤＳＣＨ（PDSCHを使用した1つのトランスポートブロックの送信）をスケジュールした場合には、第１のリソース（1つのPUCCHリソース）を暗示的に割り当てる。
【０２０２】
また、基地局装置１００は、セカンダリセル１に対する下りリンク送信モードとしてＮｏｎ−ＭＩＭＯモードを設定し、プライマリセルで送信されるＰＤＣＣＨ（下りリンクアサインメント）を使用してＰＤＳＣＨ（PDSCHを使用した1つのトランスポートブロックの送信）をスケジュールした場合には、第２のリソース（1つのPUCCHリソース）を暗示的に割り当てる。
【０２０３】
すなわち、基地局装置１００によって、Ｎｏｎ−ＭＩＭＯモードが設定されたセルにおけるＰＤＳＣＨ（PDSCHを使用した1つのトランスポートブロックの送信）を、プライマリセルで送信されるＰＤＣＣＨ（下りリンクアサインメント）を使用してスケジュールする場合には、１つのＰＵＣＣＨリソースが暗示的に割り当てられる。
【０２０４】
すなわち、基地局装置１００によって、Ｎｏｎ−ＭＩＭＯモードが設定された複数のセルにおけるＰＤＳＣＨ（PDSCHを使用した1つのトランスポートブロックの送信）それぞれを、プライマリセルで送信されるＰＤＣＣＨ（下りリンクアサインメント）を使用してスケジュールした場合には、プライマリセルで送信されるＰＤＣＣＨによってスケジュールされるＰＤＳＣＨで送信されるトランスポートブロック（コードワード、コードワード数、トランスポートブロック数でも良い）と同じ数のＰＵＣＣＨリソースが暗示的に割り当てられる。
【０２０５】
また、基地局装置１００は、セカンダリセル２に対する下りリンク送信モードとしてＭＩＭＯモードを設定し、セカンダリセル２で送信されるＰＤＣＣＨ（下りリンクアサインメント）を使用してセカンダリセル２におけるＰＤＳＣＨ（PDSCHを使用した2つまでのトランスポートブロックの送信）をスケジュールする場合には、第３のリソースと第４のリソース（2つのPUCCHリソース）を明示的に設定する。
【０２０６】
すなわち、基地局装置１００によって、ＭＩＭＯモードが設定されたセルにおけるＰＤＳＣＨ（PDSCHを使用した2つまでのトランスポートブロックの送信）を、セカンダリセル２で送信されるＰＤＣＣＨ（下りリンクアサインメント）を使用してスケジュールする場合には、２つのＰＵＣＣＨリソースが明示的に設定される。
【０２０７】
ここで、図９において、第１のリソースは、図５におけるリソース１に対応させることができる。また、第２のリソースは、図５におけるリソース２に対応させることができる。また、第３のリソースは、図５におけるリソース３に対応させることができる。また、第４のリソースは、図５におけるリソース４に対応させることができる。上記に示したように、移動局装置２００は、チャネル選択を使用して、基地局装置１００から同一サブフレームで送信される複数のトランスポートブロックに対するＡＣＫ／ＮＡＣＫを示す情報を送信する。
【０２０８】
図１０は、移動局装置２００がＡＣＫ／ＮＡＣＫを示す情報を送信する際の基地局装置１００によるリソース割り当てを説明する図である。図１０において、基地局装置１００は、移動局装置２００に対して、３つのセル（プライマリセル、セカンダリセル1、セカンダリセル2）を設定していることを示している。また、基地局装置１００は、移動局装置２００に対して、各セルに対する下りリンク送信モードとして、プライマリセルに対してＮｏｎ−ＭＩＭＯモードを、セカンダリセル１に対してＮｏｎ−ＭＩＭＯモードを、セカンダリセル２に対してＮｏｎ−ＭＩＭＯモードを設定していることを示している。
【０２０９】
すなわち、移動局装置２００は、基地局装置１００からプライマリセルにおいてＰＤＳＣＨで送信される１つのトランスポートブロックと、セカンダリセル１においてＰＤＳＣＨで送信される１つのトランスポートブロック、セカンダリセル２において送信されるＰＤＳＣＨの１つのトランスポートブロックに対するＡＣＫ／ＮＡＣＫを示す情報を送信する。
【０２１０】
図１０において、基地局装置１００は、プライマリセルにおけるＰＤＣＣＨ（下りリンクアサインメント）を使用してプライマリセルにおけるＰＤＳＣＨ（PDSCHを使用した1つのトランスポートブロックの送信）をスケジュールしていることを示している。また、基地局装置１００は、プライマリセルにおけるＰＤＣＣＨ（下りリンクアサインメント）を使用してセカンダリセル１におけるＰＤＳＣＨ（PDSCHを使用した1つのトランスポートブロックの送信）をスケジュールしていることを示している。また、基地局装置１００は、セカンダリセル２におけるＰＤＣＣＨ（下りリンクアサインメント）を使用してセカンダリセル２におけるＰＤＳＣＨ（PDSCHを使用した1つのトランスポートブロックの送信）をスケジュールしていることを示している。
【０２１１】
ここで、図１０において、基地局装置１００は、プライマリセルで送信されるＰＤＣＣＨを使用してプライマリセルにおけるＰＤＳＣＨをスケジュールした場合には、送信したＰＤＣＣＨに対応させて、第１のリソース（第1のPUCCHリソース）を暗示的に割り当てる。例えば、基地局装置１００は、プライマリセルで送信されるＰＤＣＣＨを使用してプライマリセルにおけるＰＤＳＣＨをスケジュールした場合には、ＰＤＣＣＨの送信に使用される最初のＣＣＥ（最初のCCEとオフセット値でも良い）を用いて、第１のリソースを暗示的に割り当てる。
【０２１２】
さらに、図１０において、基地局装置１００は、セカンダリセルで送信されるＰＤＣＣＨを使用してセカンダリセルにおけるＰＤＳＣＨをスケジュールする場合には、移動局装置２００に対して、事前にリソース（PUCCHリソース）を明示的に（explicitlyに）設定する。
【０２１３】
例えば、図１０において、基地局装置１００は、セカンダリセル１で送信されるＰＤＣＣＨを使用してセカンダリセル１におけるＰＤＳＣＨをスケジュールする場合には、第２のリソース（第2のPUCCHリソース）を、ＲＲＣシグナリングを使用して明示的に設定する。また、基地局装置１００は、移動局装置２００に対して、事前にＲＲＣシグナリングを使用して第２のリソースの候補を設定し、セカンダリセル１で送信されるＰＤＣＣＨを使用してセカンダリセル１におけるＰＤＳＣＨをスケジュールする場合には、ＰＤＣＣＨで送信されるリソース指示情報（ARI）によって、実際に割り当てる第２のリソースを明示的に指示することができる。
【０２１４】
また、例えば、基地局装置１００は、セカンダリセル２で送信されるＰＤＣＣＨを使用してセカンダリセル２におけるＰＤＳＣＨをスケジュールする場合には、第３のリソース（第3のPUCCHリソース）を、ＲＲＣシグナリングを使用して明示的に設定する。また、基地局装置１００は、移動局装置２００に対して、事前にＲＲＣシグナリングを使用して第３のリソースの候補を設定し、セカンダリセル２で送信されるＰＤＣＣＨを使用してセカンダリセル２におけるＰＤＳＣＨをスケジュールする場合には、ＰＤＣＣＨで送信されるリソース指示情報（ARI）によって、実際に割り当てる第３のリソースを明示的に指示することができる。
【０２１５】
上記までに示したように、図１０において、基地局装置１００は、プライマリセルに対する下りリンク送信モードとしてＮｏｎ−ＭＩＭＯモードを設定し、プライマリセルで送信されるＰＤＣＣＨ（下りリンクアサインメント）を使用してプライマリセルにおけるＰＤＳＣＨ（PDSCHを使用した1つのトランスポートブロックの送信）をスケジュールした場合には、第１のリソース（1つのPUCCHリソース）を暗示的に割り当てる。
【０２１６】
すなわち、基地局装置１００によって、Ｎｏｎ−ＭＩＭＯモードが設定されたセルにおけるＰＤＳＣＨ（PDSCHを使用した1つのトランスポートブロックの送信）を、プライマリセルで送信されるＰＤＣＣＨ（下りリンクアサインメント）を使用してスケジュールする場合には、１つのＰＵＣＣＨリソースが暗示的に割り当てられる。
【０２１７】
また、基地局装置１００は、セカンダリセル１に対する下りリンク送信モードとしてＮｏｎ−ＭＩＭＯモードを設定し、セカンダリセル１で送信されるＰＤＣＣＨ（下りリンクアサインメント）を使用してセカンダリセル１におけるＰＤＳＣＨ（PDSCHを使用した2つまでのトランスポートブロックの送信）をスケジュールする場合には、第２のリソース（1つのPUCCHリソース）を明示的に設定する。
【０２１８】
さらに、基地局装置１００は、セカンダリセル２に対する下りリンク送信モードとしてＮｏｎ−ＭＩＭＯモードを設定し、セカンダリセル２で送信されるＰＤＣＣＨ（下りリンクアサインメント）を使用してセカンダリセル２におけるＰＤＳＣＨ（PDSCHを使用した1つのトランスポートブロックの送信）をスケジュールする場合には、第３のリソース（1つのPUCCHリソース）を明示的に移動局装置２００へ設定する。
【０２１９】
すなわち、基地局装置１００によって、Ｎｏｎ−ＭＩＭＯモードが設定されたセルにおけるＰＤＳＣＨ（PDSCHを使用した1つのトランスポートブロックの送信）を、セカンダリセルで送信されるＰＤＣＣＨ（下りリンクアサインメント）を使用してスケジュールする場合には、１つのＰＵＣＣＨリソースが明示的に設定される。
【０２２０】
また、基地局装置１００は、セカンダリセル１とセカンダリセル２それぞれに対する下りリンク送信モードとしてＮｏｎ−ＭＩＭＯモードを設定し、セカンダリセルで送信されるＰＤＣＣＨを使用してセカンダリセルにおけるＰＤＳＣＨをスケジュールする場合には、第２のリソースと第３のリソース（2つのPUCCHリソース）が明示的に設定される。
【０２２１】
すなわち、基地局装置１００によって、Ｎｏｎ−ＭＩＭＯモードが設定された複数のセルにおけるＰＤＳＣＨ（PDSCHを使用した1つのトランスポートブロックの送信）それぞれを、セカンダリセルで送信されるＰＤＣＣＨ（下りリンクアサインメント）それぞれを使用してスケジュールする場合には、セカンダリセルで送信されるＰＤＣＣＨによってスケジュールされるＰＤＳＣＨで送信されるトランスポートブロック（コードワード、コードワード数、トランスポートブロック数でも良い）と同じ数のＰＵＣＣＨリソースが明示的に設定される。
【０２２２】
ここで、図１０において、第１のリソースは、例えば、図５に示す４ビットＡＣＫ／ＮＡＣＫテーブルと同様の３ビットＡＣＫ／ＮＡＣＫテーブルにおけるリソース１に対応させることができる。また、第２のリソースは、例えば、図５に示す４ビットＡＣＫ／ＮＡＣＫテーブルと同様の３ビットＡＣＫ／ＮＡＣＫテーブルにおけるリソース２に対応させることができる。また、第３のリソースは、例えば、図５に示す４ビットＡＣＫ／ＮＡＣＫテーブルと同様の３ビットＡＣＫ／ＮＡＣＫテーブルにおけるリソース３に対応させることができる。上記に示したように、移動局装置２００は、チャネル選択を使用して、基地局装置１００から同一サブフレームで送信される複数のトランスポートブロックに対するＡＣＫ／ＮＡＣＫを示す情報を送信する。
【０２２３】
図１１は、移動局装置２００がＡＣＫ／ＮＡＣＫを示す情報を送信する際の基地局装置１００によるリソース割り当てを説明する図である。図１１において、基地局装置１００は、移動局装置２００に対して、２つのセル（プライマリセル、セカンダリセル1）を設定していることを示している。また、基地局装置１００は、移動局装置２００に対して、各セルに対する下りリンク送信モードとして、プライマリセルに対してＭＩＭＯモードを、セカンダリセル１に対してＭＩＭＯモードを設定していることを示している。
【０２２４】
すなわち、移動局装置２００は、基地局装置１００からプライマリセルにおいてＰＤＳＣＨで送信される２つまでのトランスポートブロックと、セカンダリセル１においてＰＤＳＣＨで送信される２つまでのトランスポートブロックに対するＡＣＫ／ＮＡＣＫを示す情報を送信する。
【０２２５】
図１１において、基地局装置１００は、プライマリセルにおけるＰＤＣＣＨ（下りリンクアサインメント）を使用してプライマリセルにおけるＰＤＳＣＨ（PDSCHを使用した2つまでのトランスポートブロックの送信）をスケジュールしていることを示している。また、基地局装置１００は、プライマリセルにおけるＰＤＣＣＨ（下りリンクアサインメント）を使用してセカンダリセル１におけるＰＤＳＣＨ（PDSCHを使用した2つまでのトランスポートブロックの送信）をスケジュールしていることを示している。
【０２２６】
ここで、図１１において、基地局装置１００は、プライマリセルで送信されるＰＤＣＣＨを使用してプライマリセルにおけるＰＤＳＣＨをスケジュールした場合には、送信したＰＤＣＣＨに対応させて、第１のリソース（第1のPUCCHリソース）を暗示的に割り当てる。例えば、基地局装置１００は、プライマリセルで送信されるＰＤＣＣＨを使用してプライマリセルにおけるＰＤＳＣＨをスケジュールした場合には、ＰＤＣＣＨの送信に使用される最初のＣＣＥ（最初のCCEとオフセット値でも良い）を用いて、第１のリソースを暗示的に割り当てる。
【０２２７】
また、図１１において、基地局装置１００は、プライマリセルで送信されるＰＤＣＣＨを使用してプライマリセルにおけるＰＤＳＣＨをスケジュールする場合には、移動局装置２００に対して、事前に第２のリソース（第2のPUCCHリソース）を明示的に設定する。
【０２２８】
例えば、基地局装置１００は、プライマリセルで送信されるＰＤＣＣＨを使用してプライマリセルにおけるＰＤＳＣＨをスケジュールする場合には、第２のリソースを、ＲＲＣシグナリングを使用して明示的に設定する。また、基地局装置１００は、移動局装置２００に対して、事前にＲＲＣシグナリングを使用して、第２のリソースの候補を設定し、セカンダリセルで送信されるＰＤＣＣＨを使用してセカンダリセルにおけるＰＤＳＣＨをスケジュールする場合には、ＰＤＣＣＨで送信されるリソース指示情報（ARI）によって、実際に割り当てる第２のリソースを明示的に指示することができる。
【０２２９】
また、図１１において、基地局装置１００は、プライマリセルで送信されるＰＤＣＣＨを使用してセカンダリセル１におけるＰＤＳＣＨをスケジュールした場合には、送信したＰＤＣＣＨに対応させて、第３のリソース（第3のPUCCHリソース）を暗示的に割り当てる。例えば、基地局装置１００は、プライマリセルで送信されるＰＤＣＣＨを使用してセカンダリセルにおけるＰＤＳＣＨをスケジュールした場合には、ＰＤＣＣＨの送信に使用される最初のＣＣＥ（最初のCCEとオフセット値でも良い）を用いて、第３のリソースを暗示的に割り当てる。
【０２３０】
さらに、図１１において、基地局装置１００は、セカンダリセル１で送信されるＰＤＣＣＨを使用してセカンダリセル１におけるＰＤＳＣＨをスケジュールする場合には、移動局装置２００に対して、事前に第４のリソース（第4のPUCCHリソース）を明示的に設定する。
【０２３１】
例えば、基地局装置１００は、セカンダリセル１で送信されるＰＤＣＣＨを使用してセカンダリセル１におけるＰＤＳＣＨをスケジュールする場合には、第４のリソースを、ＲＲＣシグナリングを使用して明示的に設定する。また、基地局装置１００は、移動局装置２００に対して、事前にＲＲＣシグナリングを使用して第４のリソースの候補を設定し、セカンダリセル１で送信されるＰＤＣＣＨを使用してセカンダリセル１におけるＰＤＳＣＨをスケジュールする場合には、ＰＤＣＣＨで送信されるリソース指示情報（ARI）によって、実際に割り当てる第４のリソースを明示的に指示することができる。
【０２３２】
上記までに示したように、図１１において、基地局装置１００は、プライマリセルに対する下りリンク送信モードとしてＭＩＭＯモードを設定し、プライマリセルで送信されるＰＤＣＣＨ（下りリンクアサインメント）を使用してプライマリセルにおけるＰＤＳＣＨ（PDSCHを使用した2つまでのトランスポートブロックの送信）をスケジュールした場合には、第１のリソース（1つのPUCCHリソース）を暗示的に割り当てる。
【０２３３】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールする場合には、１つのＰＵＣＣＨリソースが暗示的に割り当てられる。
【０２３４】
また、基地局装置１００は、プライマリセルに対する下りリンク送信モードとしてＭＩＭＯモードを設定し、プライマリセルで送信されるＰＤＣＣＨ（下りリンクアサインメント）を使用してプライマリセルにおけるＰＤＳＣＨ（PDSCHを使用した2つまでのトランスポートブロックの送信）をスケジュールする場合には、第２のリソース（1つのPUCCHリソース）を明示的に設定する。
【０２３５】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールする場合には、１つのＰＵＣＣＨリソースが明示的に設定される。
【０２３６】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールする場合には、１つのＰＵＣＣＨリソースが暗示的に割り当てられ、１つのＰＵＣＣＨリソースが明示的に設定される。
【０２３７】
また、基地局装置１００は、セカンダリセル１に対する下りリンク送信モードとしてＭＩＭＯモードを設定し、プライマリセルで送信されるＰＤＣＣＨ（下りリンクアサインメント）を使用してセカンダリセル１におけるＰＤＳＣＨ（PDSCHを使用した1つのトランスポートブロックの送信）をスケジュールした場合には、第３のリソース（1つのPUCCHリソース）を暗示的に割り当てる。
【０２３８】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールする場合には、１つのＰＵＣＣＨリソースが暗示的に割り当てられる。
【０２３９】
また、基地局装置１００は、セカンダリセル１に対する下りリンク送信モードとしてＭＩＭＯモードを設定し、プライマリセルで送信されるＰＤＣＣＨ（下りリンクアサインメント）を使用してセカンダリセル１におけるＰＤＳＣＨ（PDSCHを使用した2つまでのトランスポートブロックの送信）をスケジュールする場合には、第４のリソース（1つのPUCCHリソース）を明示的に設定する。
【０２４０】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールする場合には、１つのＰＵＣＣＨリソースが明示的に設定される。
【０２４１】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールする場合には、１つのＰＵＣＣＨリソースが暗示的に割り当てられ、１つのＰＵＣＣＨリソースが明示的に設定される。
【０２４２】
すなわち、基地局装置１００は、プライマリセルに対する下りリンク送信モードとしてＭＩＭＯモードを設定し、セカンダリセル１に対する下りリンク送信モードとしてＭＩＭＯモードを設定し、プライマリセルで送信されるＰＤＣＣＨを使用してプライマリセルおよびセカンダリセルにおけるＰＤＳＣＨをスケジュールする場合には、第１のリソースと第３のリソース（2つのPUCCHリソース）が暗示的に割り当てられる。
【０２４３】
また、基地局装置１００は、プライマリセルに対する下りリンク送信モードとしてＭＩＭＯモードを設定し、セカンダリセル１に対する下りリンク送信モードとしてＭＩＭＯモードを設定し、プライマリセルで送信されるＰＤＣＣＨを使用してプライマリセルおよびセカンダリセルにおけるＰＤＳＣＨをスケジュールする場合には、第２のリソースと第４のリソース（2つのPUCCHリソース）が明示的に設定される。
【０２４４】
すなわち、基地局装置１００によって、プライマリセルおよびセカンダリセルに対する下りリンク送信モードとしてＭＩＭＯモードが設定され、プライマリセルおよびセカンダリセルにおけるＰＤＳＣＨを、プライマリセルで送信されるＰＤＣＣＨ（下りリンクアサインメント）を使用してスケジュールする場合には、プライマリセルにおけるＰＤＳＣＨで送信される１つのトランスポートブロック（コードワード、コードワード数、トランスポートブロック数でも良い、例えば、第1のトランスポートブロック）と、セカンダリセルにおけるＰＤＳＣＨで送信される１つのトランスポートブロック（コードワード、コードワード数、トランスポートブロック数でも良い、例えば、第1のトランスポートブロック）の合計の数（すなわち、2つ）のＰＵＣＣＨリソースが暗示的に割り当てられる。
【０２４５】
また、基地局装置１００によって、プライマリセルおよびセカンダリセルに対する下りリンク送信モードとしてＭＩＭＯモードが設定され、セカンダリセルにおけるＰＤＳＣＨを、セカンダリセルで送信されるＰＤＣＣＨ（下りリンクアサインメント）を使用してスケジュールする場合には、プライマリセルにおけるＰＤＳＣＨで送信される１つのトランスポートブロック（コードワード、コードワード数、トランスポートブロック数でも良い、例えば、第２のトランスポートブロック）と、セカンダリセルにおけるＰＤＳＣＨで送信される１つのトランスポートブロック（コードワード、コードワード数、トランスポートブロック数でも良い、例えば、第2のトランスポートブロック）の合計の数（すなわち、2つ）のＰＵＣＣＨリソースが明示的に設定される。
【０２４６】
ここで、図１１において、第１のリソースは、図５におけるリソース１に対応させることができる。また、第２のリソースは、図５におけるリソース２に対応させることができる。また、第３のリソースは、図５におけるリソース３に対応させることができる。また、第４のリソースは、図５におけるリソース４に対応させることができる。上記に示したように、移動局装置２００は、チャネル選択を使用して、基地局装置１００から同一サブフレームで送信される複数のトランスポートブロックに対するＡＣＫ／ＮＡＣＫを示す情報を送信する。
【０２４７】
図１２は、移動局装置２００がＡＣＫ／ＮＡＣＫを示す情報を送信する際の基地局装置１００によるリソース割り当てを説明する図である。図１２において、基地局装置１００は、移動局装置２００に対して、３つのセル（プライマリセル、セカンダリセル1、セカンダリセル2）を設定していることを示している。また、基地局装置１００は、移動局装置２００に対して、各セルに対する下りリンク送信モードとして、プライマリセルに対してＭＩＭＯモードを、セカンダリセル１に対してＮｏｎ−ＭＩＭＯモードを、セカンダリセル２に対してＮｏｎ−ＭＩＭＯモードを設定していることを示している。
【０２４８】
すなわち、移動局装置２００は、基地局装置１００からプライマリセルにおいてＰＤＳＣＨで送信される２つまでのトランスポートブロックと、セカンダリセル１においてＰＤＳＣＨで送信される１つのトランスポートブロック、セカンダリセル２においてＰＤＳＣＨで送信される１つのトランスポートブロックに対するＡＣＫ／ＮＡＣＫを示す情報を送信する。
【０２４９】
図１２において、基地局装置１００は、プライマリセルにおけるＰＤＣＣＨ（下りリンクアサインメント）を使用してプライマリセルにおけるＰＤＳＣＨ（PDSCHを使用した2つまでのトランスポートブロックの送信）をスケジュールしていることを示している。また、基地局装置１００は、セカンダリセル１におけるＰＤＣＣＨ（下りリンクアサインメント）を使用してセカンダリセル１におけるＰＤＳＣＨ（PDSCHを使用した1つのトランスポートブロックの送信）をスケジュールしていることを示している。また、基地局装置１００は、セカンダリセル２におけるＰＤＣＣＨ（下りリンクアサインメント）を使用してセカンダリセル２におけるＰＤＳＣＨ（PDSCHを使用した1つのトランスポートブロックの送信）をスケジュールしていることを示している。
【０２５０】
ここで、図１２において、基地局装置１００は、プライマリセルで送信されるＰＤＣＣＨを使用してプライマリセルにおけるＰＤＳＣＨ（PDSCHを使用した2つまでのトランスポートブロックの送信）をスケジュールした場合には、送信したＰＤＣＣＨに対応させて、第１のリソース（第1のPUCCHリソース）を暗示的に割り当てる。例えば、基地局装置１００は、プライマリセルで送信されるＰＤＣＣＨを使用してプライマリセルにおけるＰＤＳＣＨをスケジュールした場合には、ＰＤＣＣＨの送信に使用される最初のＣＣＥ（最初のCCEとオフセット値でも良い）を用いて、第１のリソースを暗示的に割り当てる。
【０２５１】
また、図１２において、基地局装置１００は、プライマリセルで送信されるＰＤＣＣＨを使用してプライマリセルにおけるＰＤＳＣＨ（PDSCHを使用した2つまでのトランスポートブロックの送信）をスケジュールする場合には、移動局装置２００に対して、事前に第２のリソース（第2のPUCCHリソース）を明示的に設定する。
【０２５２】
例えば、基地局装置１００は、プライマリセルで送信されるＰＤＣＣＨを使用してプライマリセルにおけるＰＤＳＣＨをスケジュールする場合には、第２のリソースを、ＲＲＣシグナリングを使用して明示的に設定する。また、基地局装置１００は、移動局装置２００に対して、事前にＲＲＣシグナリングを使用して、第２のリソースの候補を設定し、セカンダリセルで送信されるＰＤＣＣＨを使用してセカンダリセルにおけるＰＤＳＣＨをスケジュールする場合には、ＰＤＣＣＨで送信されるリソース指示情報（ARI）によって、
実際に割り当てる第２のリソースを明示的に指示することができる。
【０２５３】
また、図１２において、基地局装置１００は、セカンダリセル１で送信されるＰＤＣＣＨを使用してセカンダリセル１におけるＰＤＳＣＨをスケジュールする場合には、第３のリソース（第3のPUCCHリソース）を明示的に設定する。
【０２５４】
さらに、図１２において、基地局装置１００は、セカンダリセル２で送信されるＰＤＣＣＨを使用してセカンダリセル２におけるＰＤＳＣＨをスケジュールする場合には、第４のリソース（第4のPUCCHリソース）を明示的に設定する。
【０２５５】
すなわち、基地局装置１００は、移動局装置２００に対して、第２のリソースと第３のリソースと第４のリソースを、ＲＲＣシグナリングを使用して明示的に設定する。また、基地局装置１００は、移動局装置２００に対して、事前にＲＲＣシグナリングを使用して、第２のリソースの候補と第３のリソースの候補と第４のリソースの候補を設定し、ＰＤＣＣＨ（下りリンクアサインメント）で送信されるＡＲＩによって、実際に割り当てる第２のリソースと第３のリソースと第４のリソースを指示することができる。
【０２５６】
ここで、移動局装置２００は、基地局装置１００からセカンダリセルのＰＤＣＣＨで送信されるＡＲＩに、同じ値がセットされると想定しても良い。また、移動局装置２００は、基地局装置１００からセカンダリセルで送信されるＰＤＣＣＨ（下りリンクアサインメント）に対するＤＴＸ（Discontinuous Transmission）を検出した場合（基地局装置１００からセカンダリセルで送信されるPDCCHを検出できなかった場合、基地局装置１００からセカンダリセルで送信されるPDCCHの全てを検出できなかった場合）、基地局装置１００からプライマリセルで送信されるＰＤＣＣＨに対応させて暗示的に割り当てられたリソース（第1のリソース）を使用して、ＡＣＫ／ＮＡＣＫを示す情報を送信しても良い。
【０２５７】
この際、例えば、移動局装置２００は、チャネル選択を適用して、第１のリソースを選択し、ＡＣＫ／ＮＡＣＫを示す情報を送信することができる。また、この際、例えば、移動局装置２００は、（チャネル選択を適用せずに）第１のリソースを使用して、ＡＣＫ／ＮＡＣＫを示す情報を送信することができる。
【０２５８】
上記までに示したように、図１２において、基地局装置１００は、プライマリセルに対する下りリンク送信モードとしてＭＩＭＯモードを設定し、プライマリセルで送信されるＰＤＣＣＨ（下りリンクアサインメント）を使用してプライマリセルにおけるＰＤＳＣＨ（PDSCHを使用した2つまでのトランスポートブロックの送信）をスケジュールした場合には、第１のリソース（1つのPUCCHリソース）を暗示的に割り当てる。
【０２５９】
また、基地局装置１００は、プライマリセルに対する下りリンク送信モードとしてＭＩＭＯモードを設定し、プライマリセルで送信されるＰＤＣＣＨ（下りリンクアサインメント）を使用してプライマリセルにおけるＰＤＳＣＨ（PDSCHを使用した2つまでのトランスポートブロックの送信）をスケジュールする場合には、第２のリソース（1つのPUCCHリソース）を明示的に設定する。
【０２６０】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールする場合には、１つのＰＵＣＣＨリソースが明示的に設定される。
【０２６１】
すなわち、基地局装置１００によって、ＭＩＭＯモードが設定されたセルにおけるＰＤＳＣＨ（PDSCHを使用した2つまでのトランスポートブロックの送信）を、プライマリセルで送信されるＰＤＣＣＨ（下りリンクアサインメント）を使用してスケジュールする場合には、１つのＰＵＣＣＨリソースが暗示的に割り当てられ、１つのＰＵＣＣＨリソースが明示的に設定される。
【０２６２】
また、基地局装置１００は、セカンダリセル１に対する下りリンク送信モードとしてＮｏｎ−ＭＩＭＯモードを設定し、セカンダリセル１で送信されるＰＤＣＣＨ（下りリンクアサインメント）を使用してセカンダリセル１におけるＰＤＳＣＨ（PDSCHを使用した1つのトランスポートブロックの送信）をスケジュールする場合には、第３のリソース（1つのPUCCHリソース）を明示的に設定する。
【０２６３】
さらに、基地局装置１００は、セカンダリセル２に対する下りリンク送信モードとしてＮｏｎ−ＭＩＭＯモードを設定し、セカンダリセル２で送信されるＰＤＣＣＨ（下りリンクアサインメント）を使用してセカンダリセル２におけるＰＤＳＣＨ（PDSCHを使用した1つのトランスポートブロックの送信）をスケジュールする場合には、第４のリソース（1つのPUCCHリソース）を明示的に設定する。
【０２６４】
すなわち、基地局装置１００によって、Ｎｏｎ−ＭＩＭＯモードが設定されたセルにおけるＰＤＳＣＨ（PDSCHを使用した1つのトランスポートブロックの送信）を、セカンダリセルで送信されるＰＤＣＣＨ（下りリンクアサインメント）を使用してスケジュールする場合には、１つのＰＵＣＣＨリソースが明示的に設定される。
【０２６５】
すなわち、基地局装置１００は、プライマリセルに対する下りリンク送信モードとしてＭＩＭＯモードを設定し、セカンダリセル１とセカンダリセル２それぞれに対する下りリンク送信モードとしてＮｏｎ−ＭＩＭＯモードを設定し、セカンダリセルで送信されるＰＤＣＣＨを使用してセカンダリセルにおけるＰＤＳＣＨをスケジュールする場合には、第２のリソースと第３のリソースと第４のリソース（3つのPUCCHリソース）が明示的に設定される。
【０２６６】
すなわち、基地局装置１００によって、プライマリセルに対する下りリンク送信モードとしてＭＩＭＯモードが設定され、プライマリセルにおけるＰＤＳＣＨを、プライマリセルで送信されるＰＤＣＣＨ（下りリンクアサインメント）を使用してスケジュールする場合には、プライマリセルにおけるＰＤＳＣＨで送信される１つのトランスポートブロック（コードワード、コードワード数、トランスポートブロック数でも良い、例えば、第1のトランスポートブロック）と同じ数（すなわち、1つ）のＰＵＣＣＨリソースが暗示的に割り当てられる。
【０２６７】
また、基地局装置１００によって、プライマリセルに対する下りリンク送信モードとしてＭＩＭＯモードが設定され、セカンダリセルにおけるＰＤＳＣＨを、セカンダリセルで送信されるＰＤＣＣＨ（下りリンクアサインメント）を使用してスケジュールする場合には、プライマリセルにおけるＰＤＳＣＨで送信される１つのトランスポートブロック（コードワード、コードワード数、トランスポートブロック数でも良い、例えば、第2のトランスポートブロック）と、セカンダリセルにおけるＰＤＳＣＨで送信される１つのトランスポートブロック（コードワード、コードワード数、トランスポートブロック数でも良い、第1のトランスポートブロックと第2のトランスポートブロック）の合計の数のＰＵＣＣＨリソースが明示的に設定される。
【０２６８】
すなわち、基地局装置１００によって、プライマリセルに対する下りリンク送信モードとしてＭＩＭＯモードが設定され、セカンダリセルにおけるＰＤＳＣＨを、セカンダリセルで送信されるＰＤＣＣＨ（下りリンクアサインメント）を使用してスケジュールする場合には、セカンダリセルで送信されるＰＤＣＣＨによってスケジュールされるＰＤＳＣＨで送信されるコードワード＋１のＰＵＣＣＨリソースが明示的に設定される。
【０２６９】
ここで、図１２において、第１のリソースは、図５におけるリソース１に対応させることができる。また、第２のリソースは、図５におけるリソース２に対応させることができる。また、第３のリソースは、図５におけるリソース３に対応させることができる。また、第４のリソースは、図５におけるリソース４に対応させることができる。上記に示したように、移動局装置２００は、チャネル選択を使用して、基地局装置１００から同一サブフレームで送信される複数のトランスポートブロックに対するＡＣＫ／ＮＡＣＫを示す情報を送信する。
【０２７０】
上記までに示したように、例えば、基地局装置１００は、移動局装置２００に対して、３つのセルを設定するとともに、各セルに対する下りリンク送信モードを設定し、移動局装置２００は、基地局装置１００によって設定されたセルと各セルに対する下りリンク送信モードから、基地局装置１００によって４つのリソースが割り当てられることを決定（想定）する。
【０２７１】
すなわち、移動局装置２００は、基地局装置１００によって設定されるセル（セルの数でも良い）と各セルに対する下りリンク送信モードから、基地局装置１００によって割り当てられるリソース数（PUCCHリソース数）を決定することができる。
【０２７２】
また、基地局装置１００は、移動局装置２００に対して、各セルに対する下りリンク送信モードを設定するとともに、プライマリセルで送信されるＰＤＣＣＨ（下りリンクアサインメント）を使用してプライマリセルおよび／またはセカンダリセルにおけるＰＤＳＣＨをスケジュールし、移動局装置２００は、プライマリセルで送信されるＰＤＣＣＨでスケジュールされるプライマリセルおよび／またはセカンダリセルにおけるＰＤＳＣＨから、基地局装置１００によって暗示的に割り当てられるリソース数を決定する。
【０２７３】
すなわち、移動局装置２００は、プライマリセルで送信されるＰＤＣＣＨによってスケジュールされるＰＤＳＣＨで送信されるトランスポートブロック（コードワード、コードワード数、トランスポートブロック数でも良い、以下、単に、トランスポートブロックの数と記載する）から、基地局装置１００によって暗示的に割り当てられるリソース数を決定することができる。
【０２７４】
ここで、上述したように、基地局装置１００は、プライマリセルにおけるＰＤＳＣＨを、プライマリセルにおけるＰＤＣＣＨ（下りリンクアサインメント）を使用してスケジュールする。また、基地局装置１００は、セカンダリセルにおけるＰＤＳＣＨをスケジュールするＰＤＣＣＨ（下りリンクアサインメント）が送信される１つのサービングセルを、ＲＲＣシグナリングを使用して設定することができる（PDCCHとPDSCHのリンク（linkage、linking）を設定することができる）。
【０２７５】
さらに、基地局装置１００は、移動局装置２００に対して、各セルに対する下りリンク送信モードを設定するとともに、セカンダリセルで送信されるＰＤＣＣＨ（下りリンクアサインメント）を使用してセカンダリセルにおけるＰＤＳＣＨをスケジュールし、移動局装置２００は、セカンダリセルで送信されるＰＤＣＣＨでスケジュールされるＰＤＳＣＨから、基地局装置１００によって明示的に割り当てられるリソース数を決定する。
【０２７６】
すなわち、移動局装置２００は、基地局装置１００からセカンダリセルで送信されるＰＤＣＣＨによってスケジュールされるＰＤＳＣＨで送信されるトランスポートブロックの数から、基地局装置１００によって明示的に割り当てられるリソース数を決定することができる。
【０２７７】
ここで、上述したように、基地局装置１００は、セカンダリセルにおけるＰＤＳＣＨをスケジュールするＰＤＣＣＨ（下りリンクアサインメント）が送信される１つのサービングセルを、ＲＲＣシグナリングを使用して設定することができる（PDCCHとPDSCHのリンク（linkage、linking）を設定することができる）。
【０２７８】
すなわち、移動局装置２００は、基地局装置１００からのＡＲＩによってリソースが指示される際に、基地局装置１００からセカンダリセルで送信されるＰＤＣＣＨによってスケジュールされるＰＤＳＣＨで送信されるトランスポートブロックの数から、セカンダリセル毎に異なるリソースの候補として、いくつのリソースの候補が設定されるのかを決定することができる。
【０２７９】
また、移動局装置２００は、基地局装置１００からのＡＲＩによってリソースが指示される際に、基地局装置１００からセカンダリセルで送信されるＰＤＣＣＨによってスケジュールされるＰＤＳＣＨで送信されるトランスポートブロックの数から、セカンダリセルで共通のリソースの候補として、いくつのリソースの候補が設定されるのかを決定することができる。
【０２８０】
また、移動局装置２００は、基地局装置１００からのＡＲＩによってリソースが指示される際に、基地局装置１００からセカンダリセルで送信されるＰＤＣＣＨによってスケジュールされるＰＤＳＣＨで送信されるトランスポートブロックの数から、指示されるリソースが複数含まれるリソースグループの中に、いくつのリソースが含まれているのかを決定することができる。
【０２８１】
ここで、基地局装置１００によって明示的に割り当てられるリソース数は、基地局装置１００によって割り当てられるリソースの数から、基地局装置１００によって暗示的に割り当てられるリソースの数を引くことによって決定することができる。すなわち、移動局装置２００は、基地局装置１００によって設定されるセルと、各セルに対する下りリンク送信モードと、プライマリセルで送信されるＰＤＣＣＨによってスケジュールされるＰＤＳＣＨで送信されるトランスポートブロックの数から、基地局装置１００によって明示的に割り当てられるリソース数を決定することができる。
【０２８２】
すなわち、移動局装置２００は、基地局装置１００からのＡＲＩによってリソースが指示される際に、基地局装置１００によって設定されるセルと、各セルに対する下りリンク送信モードと、プライマリセルで送信されるＰＤＣＣＨによってスケジュールされるＰＤＳＣＨで送信されるトランスポートブロックの数から、セカンダリ毎に異なるリソースの候補として、いくつのリソースの候補が設定されるのかを決定することができる。
【０２８３】
また、移動局装置２００は、基地局装置１００からのＡＲＩによってリソースが指示される際に、基地局装置１００によって設定されるセルと、各セルに対する下りリンク送信モードと、プライマリセルで送信されるＰＤＣＣＨによってスケジュールされるＰＤＳＣＨで送信されるトランスポートブロックの数から、セカンダリで共通のリソースの候補として、いくつのリソースの候補が設定されるのかを決定することができる。
【０２８４】
また、移動局装置２００は、基地局装置１００からのＡＲＩによってリソースが指示される際に、基地局装置１００によって設定されるセルと、各セルに対する下りリンク送信モードと、プライマリセルで送信されるＰＤＣＣＨによってスケジュールされるＰＤＳＣＨで送信されるトランスポートブロックの数から、指示されるリソースが複数含まれるリソースグループの中に、いくつのリソースが含まれているのかを決定することができる。
【０２８５】
また、基地局装置１００によって明示的に割り当てられるリソース数は、基地局装置１００からプライマリセルおよび／またはセカンダリセルで送信されるＰＤＣＣＨによってスケジュールされるセカンダリセルにおけるＰＤＳＣＨで送信されるトランスポートブロックの数から、基地局装置１００からプライマリセルで送信されるＰＤＣＣＨによってスケジュールされるセカンダリセルにおけるＰＤＳＣＨで送信されるトランスポートブロックの数を引くことによって決定することができる。すなわち、移動局装置２００は、基地局装置１００からプライマリセルおよび／またはセカンダリセルで送信されるＰＤＣＣＨによってスケジュールされるセカンダリセルにおけるＰＤＳＣＨで送信されるトランスポートブロックの数と、基地局装置１００からプライマリセルで送信されるＰＤＣＣＨによってスケジュールされるセカンダリセルにおけるＰＤＳＣＨで送信されるトランスポートブロックの数から、基地局装置１００によって明示的に割り当てられるリソース数を決定することができる。
【０２８６】
すなわち、移動局装置２００は、基地局装置１００からのＡＲＩによってリソースが指示される際に、基地局装置１００からプライマリセルおよび／またはセカンダリセルで送信されるＰＤＣＣＨによってスケジュールされるセカンダリセルにおけるＰＤＳＣＨで送信されるトランスポートブロックの数と、基地局装置１００からプライマリセルで送信されるＰＤＣＣＨによってスケジュールされるセカンダリセルにおけるＰＤＳＣＨで送信されるトランスポートブロックの数から、セカンダリセル毎に異なるリソースの候補として、いくつのリソースの候補が設定されるのかを決定することができる。
【０２８７】
また、移動局装置２００は、基地局装置１００からのＡＲＩによってリソースが指示される際に、基地局装置１００からプライマリセルおよび／またはセカンダリセルで送信されるＰＤＣＣＨによってスケジュールされるセカンダリセルにおけるＰＤＳＣＨで送信されるトランスポートブロックの数と、基地局装置１００からプライマリセルで送信されるＰＤＣＣＨによってスケジュールされるセカンダリセルにおけるＰＤＳＣＨで送信されるトランスポートブロックの数から、セカンダリセルで共通のリソースの候補として、いくつのリソースの候補が設定されるのかを決定することができる。
【０２８８】
また、移動局装置２００は、基地局装置１００からのＡＲＩによってリソースが指示される際に、基地局装置１００からプライマリセルおよび／またはセカンダリセルで送信されるＰＤＣＣＨによってスケジュールされるセカンダリセルにおけるＰＤＳＣＨで送信されるトランスポートブロックの数と、基地局装置１００からプライマリセルで送信されるＰＤＣＣＨによってスケジュールされるセカンダリセルにおけるＰＤＳＣＨで送信されるトランスポートブロックの数から、指示されるリソースが複数含まれるリソースグループの中に、いくつのリソースが含まれているのかを決定することができる。
【０２８９】
上記までに示したように、基地局装置１００が、ＭＩＭＯ  ＳＭを適用して、下りリンクトランスポートブロックを送信する際に、移動局装置２００が、設定されたセル（セルの数）、および／または、各セルに対する下りリンク送信モード、および／または、プライマリセルで送信されるＰＤＣＣＨ（下りリンクアサインメント）を使用してスケジュールされるＰＤＳＣＨで送信されるトランスポートブロックの数、および／または、セカンダリセルで送信されるＰＤＣＣＨ（下りリンクアサインメント）を使用してスケジュールされるＰＤＳＣＨで送信されるトランスポートブロックの数から、基地局装置１００によって、割り当てられるリソース（リソース数）、および／または、暗示的に割り当てられるリソース（リソース数）、および／または、明示的に割り当てられるリソース（リソース数）を決定することによって、基地局装置１００が、下りリンクデータに対するＡＣＫ／ＮＡＣＫを示す情報を送信するための上りリンクリソースを効率的に割り当てることができる。
【０２９０】
すなわち、基地局装置１００が、移動局装置２００へ割り当てるリソース数を指示する必要がなく、下りリンクトランスポートブロックに対するＡＣＫ／ＮＡＣＫを示す情報を送信するための上りリンクリソースを効率的に割り当てることができる。また、基地局装置１００が、移動局装置２００へ暗示的に割り当てるリソース数を指示する必要がなく、下りリンクトランスポートブロックに対するＡＣＫ／ＮＡＣＫを示す情報を送信するための上りリンクリソースを効率的に割り当てることができる。また、基地局装置１００が、移動局装置２００へ明示的に割り当てるリソース数を指示する必要がなく、下りリンクトランスポートブロックに対するＡＣＫ／ＮＡＣＫを示す情報を送信するための上りリンクリソースを効率的に割り当てることができる。
【０２９１】
（１０１）また、本発明は、次のような態様を採ることも可能である。すなわち、本発明の移動通信システムは、プライマリセルとセカンダリセルとで構成される複数のサービングセルにおいて基地局装置と移動局装置とが通信する移動通信システムであって、前記基地局装置は、前記サービングセルのそれぞれに対して下りリンク送信モードを設定し、前記移動局装置は、あるサービングセルに対して、１つの物理下りリンク共用チャネルを使用した２つまでの下りリンクトランスポートブロックの送信が可能な下りリンク送信モードが設定され、前記あるサービングセルにおける前記１つの物理下りリンク共用チャネルの送信を指示する１つの物理下りリンク制御チャネルを前記プライマリセルにおいて検出した場合には、前記１つの物理下りリンク共用チャネルの送信に対して、２つの物理上りリンク制御チャネルリソースを決定し、前記２つの物理上りリンク制御チャネルリソースのそれぞれは、前記１つの物理下りリンク制御チャネルの送信に使用される最初の制御チャネル要素の番号を用いて決定されることを特徴とする。
【０２９２】
（１０２）また、本発明の移動通信システムにおいて、前記２つの物理上りリンク制御チャネルリソースの１つは、前記１つの物理下りリンク制御チャネルの送信に使用される最初の制御チャネル要素の番号に対応し、前記２つの物理上りリンク制御チャネルリソースのもう１つは、前記最初の制御チャネル要素の番号に１を加えたものに対応することを特徴とする。
【０２９３】
（１０３）また、本発明の移動通信システムにおいて、前記移動局装置は、前記２つの物理上りリンク制御チャネルリソースを含む複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信することを特徴とする。
【０２９４】
（１０４）また、本発明の移動通信システムは、プライマリセルとセカンダリセルとで構成される複数のサービングセルにおいて基地局装置と移動局装置とが通信する移動通信システムであって、前記基地局装置は、前記サービングセルのそれぞれに対して下りリンク送信モードを設定し、前記移動局装置は、あるサービングセルに対して、１つの物理下りリンク共用チャネルを使用した２つまでの下りリンクトランスポートブロックの送信が可能な下りリンク送信モードが設定され、前記あるサービングセルにおける前記１つの物理下りリンク共用チャネルの送信を指示する１つの物理下りリンク制御チャネルを前記セカンダリセルにおいて検出した場合には、前記１つの物理下りリンク共用チャネルの送信に対して、２つの物理上りリンク制御チャネルリソースを決定し、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【０２９５】
（１０５）また、本発明の移動通信システムにおいて、前記２つの物理上りリンク制御チャネルリソースの１つは、複数の物理上りリンク制御チャネルリソースが設定された第１のセットの中から決定され、前記２つの物理上りリンク制御チャネルリソースのもう１つは、複数の物理上りリンク制御チャネルリソースが設定された第２のセットの中から決定されることを特徴とする。
【０２９６】
（１０６）また、本発明の移動通信システムにおいて、前記第１のセットに設定される前記複数の物理上りリンク制御チャネルリソースのそれぞれと、前記第２のセットに設定される前記複数の物理上りリンク制御チャネルリソースのそれぞれとは、前記基地局装置によって送信される上位層の信号を使用して設定されることを特徴とする。
【０２９７】
（１０７）また、本発明の移動通信システムにおいて、前記第１のセットに設定される前記物理上りリンク制御チャネルリソースの数は４つであり、前記第２のセットに設定される前記物理上りリンク制御チャネルリソースの数は４つであることを特徴とする。
【０２９８】
（１０８）また、本発明の移動通信システムにおいて、前記下りリンク制御情報のフィールドは、物理上りリンク制御チャネルに対する送信電力制御コマンドのフィールドであることを特徴とする。
【０２９９】
（１０９）また、本発明の移動通信システムにおいて、前記移動局装置は、前記２つの物理上りリンク制御チャネルリソースを含む複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信することを特徴とする。
【０３００】
（１１０）また、本発明の移動局装置は、プライマリセルとセカンダリセルとで構成される複数のサービングセルにおいて基地局装置と通信する移動局装置であって、あるサービングセルに対して、１つの物理下りリンク共用チャネルを使用した２つまでの下りリンクトランスポートブロックの送信が可能な下りリンク送信モードが設定され、前記あるサービングセルにおける前記１つの物理下りリンク共用チャネルの送信を指示する１つの物理下りリンク制御チャネルを前記プライマリセルにおいて検出した場合には、前記１つの物理下りリンク共用チャネルの送信に対して、２つの物理上りリンク制御チャネルリソースを決定する手段を備え、前記２つの物理上りリンク制御チャネルリソースのそれぞれは、前記１つの物理下りリンク制御チャネルの送信に使用される最初の制御チャネル要素の番号を用いて決定されることを特徴とする。
【０３０１】
（１１１）また、本発明の移動局装置において、前記２つの物理上りリンク制御チャネルリソースの１つは、前記１つの物理下りリンク制御チャネルの送信に使用される最初の制御チャネル要素の番号に対応し、前記２つの物理上りリンク制御チャネルリソースのもう１つは、前記最初の制御チャネル要素の番号に１を加えたものに対応することを特徴とする。
【０３０２】
（１１２）また、本発明の移動局装置は、前記２つの物理上りリンク制御チャネルリソースを含む複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信する手段と備えることを特徴とする。
【０３０３】
（１１３）また、本発明の移動局装置は、プライマリセルとセカンダリセルとで構成される複数のサービングセルにおいて基地局装置と通信する移動局装置であって、あるサービングセルに対して、１つの物理下りリンク共用チャネルを使用した２つまでの下りリンクトランスポートブロックの送信が可能な下りリンク送信モードが設定され、前記あるサービングセルにおける前記１つの物理下りリンク共用チャネルの送信を指示する１つの物理下りリンク制御チャネルを前記セカンダリセルにおいて検出した場合には、前記１つの物理下りリンク共用チャネルの送信に対して、２つの物理上りリンク制御チャネルリソースを決定する手段を備え、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【０３０４】
（１１４）また、本発明の移動局装置において、前記２つの物理上りリンク制御チャネルリソースの１つは、複数の物理上りリンク制御チャネルリソースが設定された第１のセットの中から決定され、前記２つの物理上りリンク制御チャネルリソースのもう１つは、複数の物理上りリンク制御チャネルリソースが設定された第２のセットの中から決定されることを特徴とする。
【０３０５】
（１１５）また、本発明の移動局装置において、前記第１のセットに設定される前記複数の物理上りリンク制御チャネルリソースのそれぞれと、前記第２のセットに設定される前記複数の物理上りリンク制御チャネルリソースのそれぞれとは、前記基地局装置によって送信される上位層の信号を使用して設定されることを特徴とする。
【０３０６】
（１１６）また、本発明の移動局装置において、前記第１のセットに設定される前記物理上りリンク制御チャネルリソースの数は４つであり、前記第２のセットに設定される前記物理上りリンク制御チャネルリソースの数は４つであることを特徴とする。
【０３０７】
（１１７）また、本発明の移動局装置において、前記下りリンク制御情報コマンドのフィールドは、物理上りリンク制御チャネルに対する送信電力制御のフィールドであることを特徴とする。
【０３０８】
（１１８）また、本発明の移動局装置は、前記２つの物理上りリンク制御チャネルリソースを含む複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信する手段を備えることを特徴とする。
【０３０９】
（１１９）また、本発明の基地局装置は、プライマリセルとセカンダリセルとで構成される複数のサービングセルにおいて移動局装置と通信する基地局装置であって、前記サービングセルのそれぞれに対して下りリンク送信モードを設定する手段と、あるサービングセルに対して、１つの物理下りリンク共用チャネルを使用した２つまでの下りリンクトランスポートブロックの送信が可能な下りリンク送信モードを設定し、前記あるサービングセルにおける前記１つの物理下りリンク共用チャネルの送信を指示する１つの物理下りリンク制御チャネルを前記プライマリセルにおいて送信した場合には、前記１つの物理下りリンク共用チャネルの送信に対して、前記移動局装置によって決定される２つの物理上りリンク制御チャネルリソースを含む、複数の物理上りリンク制御チャネルリソースから、前記移動局装置によって選択された１つの物理上りリンク制御チャネルリソースを使用して、下りリンクトランスポートブロックに対するＡＣＫ／ＮＡＣＫに関する情報を前記移動局装置から受信する手段と、を備え、前記２つの物理上りリンク制御チャネルリソースのそれぞれは、前記１つの物理下りリンク制御チャネルの送信に使用される最初の制御チャネル要素の番号を用いて決定されることを特徴とする。
【０３１０】
（１２０）また、本発明の基地局装置において、前記２つの物理上りリンク制御チャネルリソースの１つは、前記１つの物理下りリンク制御チャネルの送信に使用される最初の制御チャネル要素の番号に対応し、前記２つの物理上りリンク制御チャネルリソースのもう１つは、前記最初の制御チャネル要素の番号に１を加えたものに対応することを特徴とする。
【０３１１】
（１２１）また、本発明の基地局装置は、プライマリセルとセカンダリセルとで構成される複数のサービングセルにおいて移動局装置と通信する基地局装置であって、前記サービングセルのそれぞれに対して下りリンク送信モードを設定する手段と、あるサービングセルに対して、１つの物理下りリンク共用チャネルを使用した２つまでの下りリンクトランスポートブロックの送信が可能な下りリンク送信モードを設定し、前記あるサービングセルにおける前記１つの物理下りリンク共用チャネルの送信を指示する１つの物理下りリンク制御チャネルを前記セカンダリセルにおいて送信した場合には、前記１つの物理下りリンク共用チャネルの送信に対して、前記移動局装置によって決定される２つの物理上りリンク制御チャネルリソースを含む、複数の物理上りリンク制御チャネルリソースから、前記移動局装置によって選択された１つの物理上りリンク制御チャネルリソースを使用して、下りリンクトランスポートブロックに対するＡＣＫ／ＮＡＣＫに関する情報を前記移動局装置から受信する手段と、を備え、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【０３１２】
（１２２）また、本発明の基地局装置において、前記２つの物理上りリンク制御チャネルリソースの１つは、複数の物理上りリンク制御チャネルリソースが設定された第１のセットの中から決定され、前記２つの物理上りリンク制御チャネルリソースのもう１つは、複数の物理上りリンク制御チャネルリソースが設定された第２のセットの中から決定されることを特徴とする。
【０３１３】
（１２３）また、本発明の基地局装置は、前記第１のセットに設定される前記複数の物理上りリンク制御チャネルリソースのそれぞれと、前記第２のセットに設定される前記複数の物理上りリンク制御チャネルリソースのそれぞれとを、上位層の信号を使用して設定する手段を備えることを特徴とする。
【０３１４】
（１２４）また、本発明の基地局装置において、前記第１のセットに設定される前記物理上りリンク制御チャネルリソースの数は４つであり、前記第２のセットに設定される前記物理上りリンク制御チャネルリソースの数は４つであることを特徴とする。
【０３１５】
（１２５）また、本発明の基地局装置において、前記下りリンク制御情報のフィールドは、物理上りリンク制御チャネルに対する送信電力制御コマンドのフィールドであることを特徴とする。
【０３１６】
（１２６）また、本発明の通信方法は、プライマリセルとセカンダリセルとで構成される複数のサービングセルにおいて基地局装置と通信する移動局装置の通信方法であって、あるサービングセルに対して、１つの物理下りリンク共用チャネルを使用した２つまでの下りリンクトランスポートブロックの送信が可能な下りリンク送信モードが設定され、前記あるサービングセルにおける前記１つの物理下りリンク共用チャネルの送信を指示する１つの物理下りリンク制御チャネルを前記プライマリセルにおいて検出した場合には、前記１つの物理下りリンク共用チャネルの送信に対して、２つの物理上りリンク制御チャネルリソースを決定し、前記２つの物理上りリンク制御チャネルリソースのそれぞれは、前記１つの物理下りリンク制御チャネルの送信に使用される最初の制御チャネル要素の番号を用いて決定されることを特徴とする。
【０３１７】
（１２７）また、本発明の通信方法において、前記２つの物理上りリンク制御チャネルリソースの１つは、前記１つの物理下りリンク制御チャネルの送信に使用される最初の制御チャネル要素の番号に対応し、前記２つの物理上りリンク制御チャネルリソースのもう１つは、前記最初の制御チャネル要素の番号に１を加えたものに対応することを特徴とする。
【０３１８】
（１２８）また、本発明の通信方法は、前記２つの物理上りリンク制御チャネルリソースを含む複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信することを特徴とする。
【０３１９】
（１２９）また、本発明の通信方法は、プライマリセルとセカンダリセルとで構成される複数のサービングセルにおいて基地局装置と通信する移動局装置の通信方法であって、あるサービングセルに対して、１つの物理下りリンク共用チャネルを使用した２つまでの下りリンクトランスポートブロックの送信が可能な下りリンク送信モードが設定され、前記あるサービングセルにおける前記１つの物理下りリンク共用チャネルの送信を指示する１つの物理下りリンク制御チャネルを前記セカンダリセルにおいて検出した場合には、前記１つの物理下りリンク共用チャネルの送信に対して、２つの物理上りリンク制御チャネルリソースを決定し、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【０３２０】
（１３０）また、本発明の通信方法において、前記２つの物理上りリンク制御チャネルリソースの１つは、複数の物理上りリンク制御チャネルリソースが設定された第１のセットの中から決定され、前記２つの物理上りリンク制御チャネルリソースのもう１つは、複数の物理上りリンク制御チャネルリソースが設定された第２のセットの中から決定されることを特徴とする。
【０３２１】
（１３１）また、本発明の通信方法は、前記第１のセットに設定される前記複数の物理上りリンク制御チャネルリソースのそれぞれと、前記第２のセットに設定される前記複数の物理上りリンク制御チャネルリソースのそれぞれとは、前記基地局装置によって送信される上位層の信号を使用して設定されることを特徴とする。
【０３２２】
（１３２）また、本発明の通信方法において、前記第１のセットに設定される前記物理上りリンク制御チャネルリソースの数は４つであり、前記第２のセットに設定される前記物理上りリンク制御チャネルリソースの数は４つであることを特徴とする。
【０３２３】
（１３３）また、本発明の通信方法において、前記下りリンク制御情報のフィールドは、物理上りリンク制御チャネルに対する送信電力制御コマンドのフィールドであることを特徴とする。
【０３２４】
（１３４）また、本発明の通信方法は、前記２つの物理上りリンク制御チャネルリソースを含む複数の物理上りリンク制御チャネルリソースから選択された１つの物理上りリンク制御チャネルリソースを使用して、下りリンクトランスポートブロックに対するＡＣＫ／ＮＡＣＫに関する情報を前記基地局装置へ送信することを特徴とする。
【０３２５】
（１３５）また、本発明の通信方法は、プライマリセルとセカンダリセルとで構成される複数のサービングセルにおいて移動局装置と通信する基地局装置の通信方法であって、前記サービングセルのそれぞれに対して下りリンク送信モードを設定し、あるサービングセルに対して、１つの物理下りリンク共用チャネルを使用した２つまでの下りリンクトランスポートブロックの送信が可能な下りリンク送信モードを設定し、前記あるサービングセルにおける前記１つの物理下りリンク共用チャネルの送信を指示する１つの物理下りリンク制御チャネルを前記プライマリセルにおいて送信した場合には、前記１つの物理下りリンク共用チャネルの送信に対して、前記移動局装置によって決定される２つの物理上りリンク制御チャネルリソースを含む、複数の物理上りリンク制御チャネルリソースから、前記移動局装置によって選択された１つの物理上りリンク制御チャネルリソースを使用して、下りリンクトランスポートブロックに対するＡＣＫ／ＮＡＣＫを示す情報を前記移動局装置から受信し、前記２つの物理上りリンク制御チャネルリソースのそれぞれは、前記１つの物理下りリンク制御チャネルの送信に使用される最初の制御チャネル要素の番号を用いて決定されることを特徴とする。
【０３２６】
（１３６）また、本発明の通信方法において、前記２つの物理上りリンク制御チャネルリソースの１つは、前記１つの物理下りリンク制御チャネルの送信に使用される最初の制御チャネル要素の番号に対応し、前記２つの物理上りリンク制御チャネルリソースのもう１つは、前記最初の制御チャネル要素の番号に１を加えたものに対応することを特徴とする。
【０３２７】
（１３７）また、本発明の通信方法は、プライマリセルとセカンダリセルとで構成される複数のサービングセルにおいて移動局装置と通信する基地局装置の通信方法であって、前記サービングセルのそれぞれに対して下りリンク送信モードを設定し、あるサービングセルに対して、１つの物理下りリンク共用チャネルを使用した２つまでの下りリンクトランスポートブロックの送信が可能な下りリンク送信モードを設定し、前記あるサービングセルにおける前記１つの物理下りリンク共用チャネルの送信を指示する１つの物理下りリンク制御チャネルを前記セカンダリセルにおいて送信した場合には、前記１つの物理下りリンク共用チャネルの送信に対して、前記移動局装置によって決定される２つの物理上りリンク制御チャネルリソースを含む、複数の物理上りリンク制御チャネルリソースから、前記移動局装置によって選択された１つの物理上りリンク制御チャネルリソースを使用して、下りリンクトランスポートブロックに対するＡＣＫ／ＮＡＣＫに関する情報を前記移動局装置から受信し、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【０３２８】
（１３８）また、本発明の通信方法において、前記２つの物理上りリンク制御チャネルリソースの１つは、複数の物理上りリンク制御チャネルリソースが設定された第１のセットの中から決定され、前記２つの物理上りリンク制御チャネルリソースのもう１つは、複数の物理上りリンク制御チャネルリソースが設定された第２のセットの中から決定されることを特徴とする。
【０３２９】
（１３９）また、本発明の通信方法は、前記第１のセットに設定される前記複数の物理上りリンク制御チャネルリソースのそれぞれと、前記第２のセットに設定される前記複数の物理上りリンク制御チャネルリソースのそれぞれとを、上位層の信号を使用して設定することを特徴とする。
【０３３０】
（１４０）また、本発明の通信方法において、前記第１のセットに設定される前記物理上りリンク制御チャネルリソースの数は４つであり、前記第２のセットに設定される前記物理上りリンク制御チャネルリソースの数は４つであることを特徴とする。
【０３３１】
（１４１）また、本発明の通信方法において、前記下りリンク制御情報のフィールドは、物理上りリンク制御チャネルに対する送信電力制御コマンドのフィールドであることを特徴とする。
【０３３２】
（１４２）また、本発明の集積回路は、プライマリセルとセカンダリセルとで構成される複数のサービングセルにおいて基地局装置と通信する移動局装置に実装される集積回路であって、あるサービングセルに対して、１つの物理下りリンク共用チャネルを使用した２つまでの下りリンクトランスポートブロックの送信が可能な下りリンク送信モードが設定され、前記あるサービングセルにおける前記１つの物理下りリンク共用チャネルの送信を指示する１つの物理下りリンク制御チャネルを前記プライマリセルにおいて検出した場合には、前記１つの物理下りリンク共用チャネルの送信に対して、２つの物理上りリンク制御チャネルリソースを決定する機能を前記移動局装置に発揮させ、前記２つの物理上りリンク制御チャネルリソースのそれぞれは、前記１つの物理下りリンク制御チャネルの送信に使用される最初の制御チャネル要素の番号を用いて決定されることを特徴とする。
【０３３３】
（１４３）また、本発明の集積回路は、プライマリセルとセカンダリセルとで構成される複数のサービングセルにおいて基地局装置と通信する移動局装置に実装される集積回路であって、あるサービングセルに対して、１つの物理下りリンク共用チャネルを使用した２つまでの下りリンクトランスポートブロックの送信が可能な下りリンク送信モードが設定され、前記あるサービングセルにおける前記１つの物理下りリンク共用チャネルの送信を指示する１つの物理下りリンク制御チャネルを前記セカンダリセルにおいて検出した場合には、前記１つの物理下りリンク共用チャネルの送信に対して、２つの物理上りリンク制御チャネルリソースを決定する機能を前記移動局装置に発揮させ、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【０３３４】
（１４４）また、本発明の集積回路は、プライマリセルとセカンダリセルとで構成される複数のサービングセルにおいて移動局装置と通信する基地局装置に実装される集積回路であって、前記サービングセルのそれぞれに対して下りリンク送信モードを設定し、あるサービングセルに対して、１つの物理下りリンク共用チャネルを使用した２つまでの下りリンクトランスポートブロックの送信が可能な下りリンク送信モードを設定し、前記あるサービングセルにおける前記１つの物理下りリンク共用チャネルの送信を指示する１つの物理下りリンク制御チャネルを前記プライマリセルにおいて送信した場合には、前記１つの物理下りリンク共用チャネルの送信に対して、前記移動局装置によって決定される２つの物理上りリンク制御チャネルリソースを含む、複数の物理上りリンク制御チャネルリソースから、前記移動局装置によって選択された１つの物理上りリンク制御チャネルリソースを使用して、下りリンクトランスポートブロックに対するＡＣＫ／ＮＡＣＫを示す情報を前記移動局装置から受信する機能を前記基地局装置に発揮させ、前記２つの物理上りリンク制御チャネルリソースのそれぞれは、前記１つの物理下りリンク制御チャネルの送信に使用される最初の制御チャネル要素の番号を用いて決定されることを特徴とする。
【０３３５】
（１４５）また、本発明の集積回路は、プライマリセルとセカンダリセルとで構成される複数のサービングセルにおいて移動局装置と通信する基地局装置に実装される集積回路であって、前記サービングセルのそれぞれに対して下りリンク送信モードを設定し、あるサービングセルに対して、１つの物理下りリンク共用チャネルを使用した２つまでの下りリンクトランスポートブロックの送信が可能な下りリンク送信モードを設定し、前記あるサービングセルにおける前記１つの物理下りリンク共用チャネルの送信を指示する１つの物理下りリンク制御チャネルを前記セカンダリセルにおいて送信した場合には、前記１つの物理下りリンク共用チャネルの送信に対して、前記移動局装置によって決定される２つの物理上りリンク制御チャネルリソースを含む、複数の物理上りリンク制御チャネルリソースから、前記移動局装置によって選択された１つの物理上りリンク制御チャネルリソースを使用して、下りリンクトランスポートブロックに対するＡＣＫ／ＮＡＣＫに関する情報を前記移動局装置から受信する機能を前記基地局装置に発揮させ、前記２つの物理上りリンク制御チャネルリソースのそれぞれは、前記１つの物理下りリンク制御チャネルで送信される下りリンク制御情報のフィールドに設定された１つの値に従って決定されることを特徴とする。
【０３３６】
以上説明した実施形態は、基地局装置１００および移動局装置２００に搭載される集積回路にも適用される。また、以上説明した実施形態において、基地局装置１００内の各機能や、移動局装置２００内の各機能を実現するためのプログラムをコンピュータ読み取り可能な記録媒体に記録して、この記録媒体に記録されたプログラムをコンピュータシステムに読み込ませ、実行することにより基地局装置１００や移動局装置２００の制御を行なっても良い。なお、ここでいう「コンピュータシステム」とは、ＯＳや周辺機器等のハードウェアを含むものとする。
【０３３７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０３３８】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０３３９】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００、２００−１〜２００−３  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
0005807959.tif 000002
【図２】
0005807959.tif 000003
【図３】
0005807959.tif 000004
【図４】
0005807959.tif 000005
【図５】
0005807959.tif 000006
【図６】
0005807959.tif 000007
【図７】
0005807959.tif 000008
【図８】
0005807959.tif 000009
【図９】
0005807959.tif 000010
【図１０】
0005807959.tif 000011
【図１１】
0005807959.tif 000012
【図１２】
0005807959.tif 000013